(57)【要約】  錠剤分包装置による分包処理の結果を鑑査する薬剤師の鑑査業務を支援することが可能な鑑査支援システム、錠剤分包装置、及び分包制御プログラムを提供することを課題とする。  鑑査支援システムは、処方データに基づいて一又は複数の錠剤が服用タイミングごとに包装材により包装される第１分包処理において撮影された前記錠剤の第１撮影画像と、前記第１分包処理の実行後に一又は複数の前記服用タイミングについて再実行された一又は複数の第２分包処理において撮影された前記錠剤の第２撮影画像とを、前記処方データに対応付けて記憶する第１記憶処理部と、前記第１記憶処理部によって記憶された前記第１撮影画像及び前記第２撮影画像を表示可能な表示処理部とを備える。【選択図】図２１
2017119276.tif 000002
【特許請求の範囲】
【請求項１】
処方データに基づいて一又は複数の錠剤が服用タイミングごとに包装材により包装される第１分包処理において撮影された前記錠剤の第１撮影画像と、前記第１分包処理の実行後に一又は複数の前記服用タイミングについて再実行された一又は複数の第２分包処理において撮影された前記錠剤の第２撮影画像とを、前記処方データに対応付けて記憶する第１記憶処理部と、  前記第１記憶処理部によって記憶された前記第１撮影画像及び前記第２撮影画像を表示可能な表示処理部と、  を備える鑑査支援システム。
【請求項２】
前記処方データに基づく前記分包処理の適否を前記第１撮影画像又は前記第２撮影画像に基づいて判断する自動鑑査処理を実行する鑑査処理部と、  前記鑑査処理部による前記第１撮影画像に基づく前記自動鑑査処理の鑑査結果及び前記鑑査処理部による前記第２撮影画像に基づく前記自動鑑査処理の鑑査結果と前記処方データとを対応付けて記憶する第２記憶処理部と、  を備え、  前記表示処理部が、前記処方データに対応する前記第１撮影画像及び前記第２撮影画像と前記自動鑑査処理による鑑査結果とを表示可能である、  請求項１に記載の鑑査支援システム。
【請求項３】
前記処方データに基づく前記分包処理の適否を前記第１撮影画像又は前記第２撮影画像に基づいて前記服用タイミングごとに判断する自動鑑査処理を実行する鑑査処理部と、  前記鑑査処理部による前記第１撮影画像に基づく前記自動鑑査処理における前記服用タイミング各々についての鑑査結果と前記鑑査処理部による前記第２撮影画像各々に基づく前記自動鑑査処理における前記服用タイミング各々についての鑑査結果とを前記服用タイミング各々に対応付けて記憶する第２記憶処理部と、  を備え、  前記表示処理部が、前記処方データにおける前記服用タイミング各々に対応する前記第１撮影画像及び前記第２撮影画像と前記服用タイミング各々についての前記鑑査結果とを表示可能である、  請求項１に記載の鑑査支援システム。
【請求項４】
前記第１記憶処理部が、前記第１撮影画像又は前記第２撮影画像が撮影されたときの前記処方データにおける前記服用タイミング各々と前記第１撮影画像又は前記第２撮影画像各々とを対応付けて記憶する、  請求項１〜３のいずれかに記載の鑑査支援システム。
【請求項５】
前記表示処理部が、前記第１分包処理において撮影された前記第１撮影画像と一又は複数の前記第２分包処理において撮影された前記第２撮影画像とを合成して表示可能である、  請求項１〜４のいずれかに記載の鑑査支援システム。
【請求項６】
前記表示処理部は、前記処方データに含まれる服用タイミングのうち前記第２撮影画像が存在する前記服用タイミングについては前記第２撮影画像を表示させ、前記第２撮影画像が存在しない前記服用タイミングについては前記第１撮影画像を表示させる、  請求項５に記載の鑑査支援システム。
【請求項７】
前記表示処理部は、前記処方データに含まれる前記服用タイミング各々に対応する前記第１撮影画像又は前記第２撮影画像を予め定められた方向に沿って同一種類の錠剤ごとに並べて表示させる、  請求項６に記載の鑑査支援システム。
【請求項８】
前記表示処理部は、前記服用タイミングごとに前記第１撮影画像又は前記第２撮影画像のいずれか一方のみを表示させる請求項７に記載の鑑査支援システム。
【請求項９】
前記表示処理部は、前記第１撮影画像及び前記第２撮影画像が合成して表示される合成表示状態と、前記第１撮影画像及び前記第２撮影画像のうち前記第１撮影画像のみが表示される第１表示状態と、前記第１撮影画像及び前記第２撮影画像のうち前記第２撮影画像のみが表示される第２表示状態とを切り替え可能である、  請求項５〜８のいずれかに記載の鑑査支援システム。
【請求項１０】
前記表示処理部は、前記処方データについて複数の前記第２分包処理が実行されている場合は、前記第２分包処理ごとに対応する前記第２撮影画像が表示される複数の前記第２表示状態を切り替えて表示可能である、  請求項９に記載の鑑査支援システム。
【請求項１１】
前記第１分包処理で得られる分包後の前記包装材のうち前記第２分包処理で得られる分包後の前記包装材と入れ替える対象である包装材を報知する報知処理部を備える、  請求項１〜１０のいずれかに記載の鑑査支援システム。
【請求項１２】
前記第１記憶処理部は、前記処方データを識別するための処方識別情報に前記第１撮影画像及び前記第２撮影画像を対応付ける、  請求項１〜１１のいずれかに記載の鑑査支援システム。
【請求項１３】
前記第１分包処理及び前記第２分包処理を実行可能な一又は複数の錠剤分包装置を含み、  前記錠剤分包装置は、を備える、  請求項１〜１２のいずれかに記載の鑑査支援システム。
【請求項１４】
少なくとも一の前記錠剤分包装置が前記表示処理部を備える、  請求項１３に記載の鑑査支援システム。
【請求項１５】
処方データに基づいて一又は複数の錠剤を包装材で分包する分包ユニットと、  前記分包ユニットで分包される前記錠剤の撮影に用いられる撮影部と、  前記処方データに基づいて前記分包ユニットにより一又は複数の錠剤が服用タイミングごとに包装材により包装される第１分包処理において前記撮影部により撮影された前記錠剤の第１撮影画像と前記第１分包処理の実行後に一又は複数の前記服用タイミングについて再実行された一又は複数の第２分包処理において前記撮影部により撮影された前記錠剤の第２撮影画像とを前記処方データに対応付けて記憶する第１記憶処理部と、  を備える錠剤分包装置。
【請求項１６】
前記第１記憶処理部は、前記第２撮影画像を記憶する場合に過去の前記第１撮影画像及び前記第２撮影画像のいずれか一方又は両方を消去する請求項１５に記載の錠剤分包装置。
【請求項１７】
処方データに基づいて一又は複数の錠剤を包装材で分包する分包ユニットと、前記分包ユニットで分包される前記錠剤の撮影に用いられる撮影部とを備える錠剤分包装置に搭載されるプロセッサーに、  前記処方データに基づいて前記分包ユニットにより一又は複数の錠剤が服用タイミングごとに包装材により包装される第１分包処理において前記撮影部を用いて前記錠剤を撮影する第１撮影ステップと、  前記第１撮影ステップで撮影された第１撮影画像を前記処方データに対応付けて記憶する第１記憶ステップと、  前記第１分包処理の実行後に一又は複数の前記服用タイミングについて再実行された一又は複数の第２分包処理において前記撮影部を用いて前記錠剤を撮影する第２撮影ステップと、  前記第２撮影ステップで撮影された第２撮影画像を前記処方データに対応付けて記憶する第２記憶ステップと、  を実行させるための分包制御プログラム。
【請求項１８】
処方データに基づいて一又は複数の薬品が服用タイミングごとに包装材により包装される分包処理の実行後に、少なくとも前記処方データの一部の情報を含む処方関連情報と前記分包処理前又は前記分包処理後に取得され前記薬品各々の種類を特定するための分包結果情報とを表示部に表示させる表示処理部と、  前記表示処理部による前記処方関連情報及び前記分包結果情報が表示された後、予め定められた再分包操作に応じて一又は複数の前記服用タイミングについて前記分包処理を再実行させる再実行処理部と、  を備える、鑑査支援システム。
【請求項１９】
前記表示処理部は、前記処方データのうち少なくとも用量又は用法を表示させる、  請求項１８に記載の鑑査支援システム。
【請求項２０】
前記表示処理部は、前記処方データのうち少なくとも薬品名又は患者名を表示させる、  請求項１８又は１９に記載の鑑査支援システム。
【請求項２１】
処方データに基づいて一又は複数の薬品が服用タイミングごとに包装材により包装される分包処理の実行後に、少なくとも前記分包処理前又は前記分包処理後に取得され前記薬品各々の種類を特定するための分包結果情報を表示部に表示させる表示処理部と、  前記表示処理部による前記処方関連情報及び前記分包結果情報が表示された後、予め定められた再分包操作に応じて一又は複数の前記服用タイミングについて前記分包処理を再実行させる再実行処理部と、  を備える、鑑査支援システム。
【請求項２２】
前記分包処理前又は前記分包処理後の前記薬品を前記分包処理の結果として撮影する撮影部と、前記分包処理前又は前記分包処理後の前記薬品の成分を前記分包処理の結果として検出する成分検出部とのいずれか一方又は両方を備え、  前記分包結果情報は、前記撮影部による薬品の撮影画像又は前記成分検出部による成分検出結果を含む、  請求項１８〜２１のいずれかに記載の鑑査支援システム。
【請求項２３】
処方データに基づいて一又は複数の錠剤が服用タイミングごとに包装材により包装される分包処理の実行後に、一又は複数の前記服用タイミングについて前記分包処理を再実行可能な再実行処理部と、  前記処方データと前記分包処理の結果とを照合する照合処理部と、  前記分包処理の各回について前記処方データごと又は前記服用タイミングごとの前記分包処理が何回目であるかを示す情報と前記分包処理の照合結果とを対応付けて記憶させる記憶処理部と、  を備える鑑査支援システム。
【請求項２４】
前記記憶処理部に記憶されている前記分包処理の各回における前記服用タイミングごとの前記分包処理の照合結果を表示可能な表示処理部を備える、  請求項２３に記載の鑑査支援システム。
【発明の詳細な説明】
【技術分野】
【０００１】  本発明は、錠剤分包装置による分包処理の結果を鑑査する薬剤師の鑑査業務を支援する鑑査支援システム、錠剤分包装置、分包制御プログラムに関する。
【背景技術】
【０００２】  一般に、各種の錠剤が収容される複数の錠剤カセットを備え、処方データに基づいて錠剤カセット各々から錠剤を払い出し、その錠剤を服用単位で分包することが可能な錠剤分包装置が知られている（例えば特許文献１参照）。
【先行技術文献】
【特許文献】
【０００３】【特許文献１】特開２０１１−１０４０７７号公報
【発明の概要】
【発明が解決しようとする課題】
【０００４】  ところで、病院又は薬局などの医療施設では、錠剤分包装置により分包された錠剤が処方データに対応する適切なものであるか否かを確認する鑑査業務が薬剤師によって実施される。また、錠剤分包装置は、分包処理において撮影される錠剤の撮影画像を用いて分包結果の適否を自動的に鑑査する機能を備えることがある。なお、錠剤分包装置の分包結果が適切でない場合には、錠剤分包装置により一部又は全部の分包処理が再実行されることがある。しかしながら、従来、このように錠剤分包装置で実行される複数回の分包処理の結果について最終的な鑑査を行う薬剤師を支援するシステムは知られていない。【０００５】  本発明の目的は、錠剤分包装置による分包処理の結果を鑑査する薬剤師の鑑査業務を支援することが可能な鑑査支援システム、錠剤分包装置、及び分包制御プログラムを提供することにある。
【課題を解決するための手段】
【０００６】  本発明に係る鑑査支援システムは、処方データに基づいて一又は複数の錠剤が服用タイミングごとに包装材により包装される第１分包処理において撮影された前記錠剤の第１撮影画像と、前記第１分包処理の実行後に一又は複数の前記服用タイミングについて再実行された一又は複数の第２分包処理において撮影された前記錠剤の第２撮影画像とを、前記処方データに対応付けて記憶する第１記憶処理部と、前記第１記憶処理部によって記憶された前記第１撮影画像及び前記第２撮影画像を表示可能な表示処理部とを備える。【０００７】  前記鑑査支援システムによれば、前記第１撮影画像と前記第２撮影画像とが表示可能であるため、前記第１分包処理及び前記第２分包処理を考慮した最終的な鑑査を行う薬剤師を支援することが可能である。【０００８】  本発明に係る錠剤分包装置は、処方データに基づいて一又は複数の錠剤を包装材で分包する分包ユニットと、前記分包ユニットで分包される前記錠剤の撮影に用いられる撮影部と、前記処方データに基づいて前記分包ユニットにより一又は複数の錠剤が服用タイミングごとに包装材により包装される第１分包処理において前記撮影部により撮影された前記錠剤の第１撮影画像と前記第１分包処理の実行後に一又は複数の前記服用タイミングについて再実行された一又は複数の第２分包処理において前記撮影部により撮影された前記錠剤の第２撮影画像とを前記処方データに対応付けて記憶する第１記憶処理部とを備える。【０００９】  前記錠剤分包装置によれば、前記第１撮影画像と前記第２撮影画像とが前記処方データに対応付けて記憶され、その後に前記第１撮影画像及び前記第２撮影画像が利用可能になるため、例えば前記第１分包処理及び前記第２分包処理を考慮した最終的な鑑査を行う薬剤師を支援することが可能である。【００１０】  本発明に係る分包制御プログラムは、処方データに基づいて一又は複数の錠剤を包装材で分包する分包ユニットと、前記分包ユニットで分包される前記錠剤の撮影に用いられる撮影部とを備える錠剤分包装置に搭載されるプロセッサーに、前記処方データに基づいて前記分包ユニットにより一又は複数の錠剤が服用タイミングごとに包装材により包装される第１分包処理において前記撮影部を用いて前記錠剤を撮影する第１撮影ステップと、前記第１撮影ステップで撮影された第１撮影画像を前記処方データに対応付けて記憶する第１記憶ステップと、前記第１分包処理の実行後に一又は複数の前記服用タイミングについて再実行された一又は複数の第２分包処理において前記撮影部を用いて前記錠剤を撮影する第２撮影ステップと、前記第２撮影ステップで撮影された第２撮影画像を前記処方データに対応付けて記憶する第２記憶ステップとを実行させるための分包制御プログラムである。【００１１】  前記分包制御プログラムによれば、前記第１撮影画像と前記第２撮影画像とが前記処方データに対応付けて記憶され、その後に前記第１撮影画像及び前記第２撮影画像が利用可能になるため、例えば前記第１分包処理及び前記第２分包処理を考慮した最終的な鑑査を行う薬剤師を支援することが可能である。【００１２】  また、本発明に係る鑑査支援システムは、処方データに基づいて一又は複数の薬���が服用タイミングごとに包装材により包装される分包処理の実行後に、少なくとも前記処方データの一部の情報を含む処方関連情報と前記分包処理前又は前記分包処理後に取得され前記薬品各々の種類を特定するための分包結果情報とを表示部に表示させる表示処理部と、前記表示処理部による前記処方関連情報及び前記分包結果情報が表示された後、予め定められた再分包操作に応じて一又は複数の前記服用タイミングについて前記分包処理を再実行させる再実行処理部と、を備えることが考えられる。【００１３】  ここで、前記表示処理部は、前記処方データのうち少なくとも用量及び用法を表示させることが考えられる。また、前記表示処理部は、前記処方データのうち少なくとも薬品名及び患者名を表示させることが考えられる。【００１４】  また、本発明に係る鑑査支援システムは、処方データに基づいて一又は複数の薬品が服用タイミングごとに包装材により包装される分包処理の実行後に、少なくとも前記分包処理前又は前記分包処理後に取得され前記薬品各々の種類を特定するための分包結果情報を表示部に表示させる表示処理部と、前記表示処理部による前記処方関連情報及び前記分包結果情報が表示された後、予め定められた再分包操作に応じて一又は複数の前記服用タイミングについて前記分包処理を再実行させる再実行処理部と、を備えることが考えられる。【００１５】  また、前記鑑査支援システムは、前記分包処理前又は前記分包処理後の前記薬品を前記分包処理の結果として撮影する撮影部と、前記分包処理前又は前記分包処理後の前記薬品の成分を前記分包処理の結果として検出する成分検出部とのいずれか一方又は両方を備え、前記分包結果情報は、前記撮影部による薬品の撮影画像又は前記成分検出部による成分検出結果を含むことが考えられる。【００１６】  また、本発明に係る鑑査支援システムは、処方データに基づいて一又は複数の錠剤が服用タイミングごとに包装材により包装される分包処理の実行後に、一又は複数の前記服用タイミングについて前記分包処理を再実行可能な再実行処理部と、前記処方データと前記分包処理の結果とを照合する照合処理部と、前記分包処理の各回について前記処方データごと又は前記服用タイミングごとの前記分包処理が何回目であるかを示す情報と前記分包処理の照合結果とを対応付けて記憶させる記憶処理部と、を備えることが考えられる。【００１７】  さらに、前記鑑査支援システムは、前記記憶処理部に記憶されている前記分包処理の各回における前記服用タイミングごとの前記分包処理の照合結果を表示可能な表示処理部を備えることが考えられる。
【発明の効果】
【００１８】  本発明によれば、錠剤分包装置による分包処理の結果を鑑査する薬剤師の鑑査業務を支援することが可能な鑑査支援システム、錠剤分包装置、及び分包制御プログラムを提供することができる。
【図面の簡単な説明】
【００１９】【図１】図１は、本発明の実施形態に係る鑑査支援システムの構成を示す図である。
【図２】図２は、本発明の実施形態に係る錠剤分包装置の外観図である。
【図３】図３は、本発明の実施形態に係る錠剤分包装置の構成を示す模式図である。
【図４】図４は、本発明の実施形態に係る錠剤分包装置の構成を示す模式図である。
【図５Ａ】図５Ａ、本発明の実施形態に係る錠剤分包装置の錠剤回転部の一例を示す図である。
【図５Ｂ】図５Ｂは、本発明の実施形態に係る錠剤分包装置の錠剤回転部の一例を示す図である。
【図６】図６は、本発明の実施形態に係る錠剤分包装置による分包結果の一例を示す図である。
【図７】図７は、本発明の実施形態に係る鑑査支援システムで実行される鑑査支援処理の手順の一例を示すフローチャートである。
【図８】図８は、本発明の実施形態に係る鑑査支援システムで表示される表示画面の一例を示す図である。
【図９】図９は、本発明の実施形態に係る鑑査支援システムで表示される表示画面の一例を示す図である。
【図１０】図１０は、本発明の実施形態に係る鑑査支援システムで表示される表示画面の一例を示す図である。
【図１１】図１１は、本発明の実施形態に係る鑑査支援システムで実行される鑑査表示制御処理の手順の一例を示すフローチャートである。
【図１２Ａ】図１２Ａは、本発明の実施形態に係る鑑査支援システムで表示される表示画面の一例を示す図である。
【図１２Ｂ】図１２Ｂは、本発明の実施形態に係る鑑査支援システムで表示される表示画面の一例を示す図である。
【図１３】図１３は、本発明の実施形態に係る鑑査支援システムで表示される表示画面の一例を示す図である。
【図１４Ａ】図１４Ａは、本発明の実施形態に係る鑑査支援システムで表示される表示画面の一例を示す図である。
【図１４Ｂ】図１４Ｂは、本発明の実施形態に係る鑑査支援システムで表示される表示画面の一例を示す図である。
【図１５】図１６は、本発明の実施形態に係る鑑査支援システムで表示される表示画面の一例を示す図である。
【図１６】図１６は、本発明の実施形態に係る鑑査支援システムで表示される表示画面の一例を示す図である。
【図１７】図１７は、本発明の実施形態に係る鑑査支援システムで表示される表示画面の一例を示す図である。
【図１８Ａ】図１８Ａは、本発明の実施形態に係る鑑査支援システムで表示される表示画面の一例を示す図である。
【図１８Ｂ】図１８Ｂは、本発明の実施形態に係る鑑査支援システムで表示される表示画面の一例を示す図である。
【図１９】図１９は、本発明の実施形態に係る鑑査支援システムで実行される再実行制御処理の手順の一例を示すフローチャートである。
【図２０】図２０は、本発明の実施形態に係る鑑査支援システムで表示される表示画面の一例を示す図である。
【図２１】図２１は、本発明の実施形態に係る鑑査支援システムで表示される表示画面の一例を示す図である。
【図２２】図２２は、本発明の実施形態に係る鑑査支援システムで表示される表示画面の一例を示す図である。
【図２３Ａ】図２３Ａは、本発明の実施形態に係る鑑査支援システムで表示される表示画面の一例を示す図である。
【図２３Ｂ】図２３Ｂは、本発明の実施形態に係る鑑査支援システムの手撒きユニットにおける点灯パターンの一例を示す図である。
【図２４Ａ】図２４Ａは、本発明の実施形態に係る鑑査支援システムで表示される表示画面の一例を示す図である。
【図２４Ｂ】図２４Ｂは、本発明の実施形態に係る鑑査支援システムの手撒きユニットにおける点灯パターンの一例を示す図である。
【図２５Ａ】図２５Ａは、本発明の実施形態に係る鑑査支援システムで表示される表示画面の一例を示す図である。
【図２５Ｂ】図２５Ｂは、本発明の実施形態に係る鑑査支援システムの手撒きユニットにおける点灯パターンの一例を示す図である。
【図２６Ａ】図２６Ａは、本発明の実施形態に係る鑑査支援システムで表示される表示画面の一例を示す図である。
【図２６Ｂ】図２６Ｂは、本発明の実施形態に係る鑑査支援システムの手撒きユニットにおける点灯パターンの一例を示す図である。
【図２７Ａ】図２７Ａは、本発明の実施形態に係る鑑査支援システムで表示される表示画面の一例を示す図である。
【図２７Ｂ】図２７Ｂは、本発明の実施形態に係る鑑査支援システムの手撒きユニットにおける点灯パターンの一例を示す図である。
【図２８Ａ】図２８Ａは、本発明の実施形態に係る鑑査支援システムで表示される表示画面の一例を示す図である。
【図２８Ｂ】図２８Ｂは、本発明の実施形態に係る鑑査支援システムの手撒きユニットにおける点灯パターンの一例を示す図である。
【図２９Ａ】図２９Ａは、本発明の実施形態に係る鑑査支援システムで表示される表示画面の一例を示す図である。
【図２９Ｂ】図２９Ｂは、本発明の実施形態に係る鑑査支援システムの手撒きユニットにおける点灯パターンの一例を示す図である。
【図３０Ａ】図３０Ａは、本発明の実施形態に係る鑑査支援システムの履歴情報の一例を示す図である。
【図３０Ｂ】図３０Ｂは、本発明の実施形態に係る鑑査支援システムの履歴情報の一例を示す図である。
【発明を実施するための形態】
【００２０】  以下添付図面を参照しながら、本発明の実施形態について説明し、本発明の理解に供する。なお、以下の実施形態は、本発明を具体化した一例であって、本発明の技術的範囲を限定する性格のものではない。また、下記の各実施形態の構成及び処理機能を取捨選択して任意に組み合わせることも可能である。
【００２１】  図１に示されているように、本発明の実施形態に係る鑑査支援システム１は、サーバー２と、一又は複数のクライアント端末３と、一又は複数の錠剤分包装置４と、一又は複数の調剤機器５とを備える。なお、前記サーバー２単体又は前記錠剤分包装置４単体を、本発明に係る鑑査支援システムとして捉えてもよい。
【００２２】  前記サーバー２、前記クライアント端末３、前記錠剤分包装置４、及び前記調剤機器５各々は、ＬＡＮ又はインターネット等の通信網Ｎ１を介して無線又は有線で通信可能に接続されている。また、前記サーバー２には、前記サーバー２に処方データを入力する電子カルテシステム又は処方入力端末などの上位システム６が前記通信網Ｎ１を介して接続されている。なお、前記サーバー２が処方箋から処方データを読み取り可能であること、又は前記サーバー２においてユーザー操作による処方データの入力が可能であることも考えられる。
【００２３】［サーバー２］  前記サーバー２は、制御部２１、記憶部２２、通信Ｉ／Ｆ２３、表示部２４、操作部２５、ドライブ装置２６、及びコード読取部２７等を備えるパーソナルコンピュータである。前記サーバー２は、前記鑑査支援システム１が使用される医療機関の内部又は外部に配置される。
【００２４】  前記制御部２１は、ＣＰＵ、ＲＯＭ、ＲＡＭ、及びＥＥＰＲＯＭ（登録商標）などの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部２１は、前記ＣＰＵを用いて、前記ＲＯＭ、前記ＥＥＰＲＯＭ、又は前記記憶部２２に予め記憶された各種の制御プログラムに従って各種の処理を実行する。
【００２５】  前記記憶部２２は、各種のデータを記憶するハードディスク装置又はＳＳＤ（Ｓｏｌｉｄ  Ｓｔａｔｅ  Ｄｒｉｖｅ）などの記憶部である。具体的に、前記記憶部２２には、前記制御部２１等のコンピュータに後述の鑑査支援処理（図７参照）を実行させるための鑑査支援プログラムが予め記憶されている。
【００２６】  また、前記記憶部２２には、例えば医薬品マスター、患者マスター、ユーザーマスター、及びカセットマスターなどの各種のデータベースも記憶されている。前記医薬品マスターには、薬品ＩＤ、薬品コード、薬品名、ＹＪコード、ＪＡＮコード（又はＲＳＳコード）、薬瓶コード、区分（剤形：散薬、錠剤、水剤、外用薬など）、錠剤の形状（カプセル錠、球形錠、平錠（円板状の錠剤）など）、錠剤のサイズ、比重、薬品種（普通薬、毒薬、麻薬、劇薬、抗精神薬、治療薬など）、配合変化、賦形薬品、注意事項、錠剤の正画像（錠剤の表面及び裏面の外観画像）などの医薬品各々に関する情報が含まれる。なお、前記正画像は、前記錠剤分包装置４で撮影される錠剤の撮影画像に基づいて予め登録され、又は後述の薬品データベースに登録された正画像が予め取り込まれることによって登録される。前記ユーザーマスターには、薬局名、薬剤師の氏名、薬剤師のＩＤ、パスワード、ユーザーグループ、及び処理権限などのユーザーに関する情報が含まれる。前記患者マスターには、患者ＩＤ、氏名、性別、年齢、既往歴、処方薬履歴、家族情報、診療科、病棟、及び病室などの患者に関する情報が含まれる。また、前記カセットマスターは、前記錠剤分包装置４が有する後述の薬剤カセット４１各々のカセット識別情報と前記薬剤カセット４１各々に割り当てられた錠剤との対応関係を示す情報である。
【００２７】  さらに、前記記憶部２２には、薬品ごとに、薬品コード、薬品名称、ＪＡＮコード、ＲＳＳコード、薬瓶コード、剤形、単位、比重、薬品種、配合変化、賦形薬品、注意事項、アレルギー情報、添付文書情報などの情報が対応付けられた薬品データベースが前記医薬品マスターとは別に記憶されている。特に、前記薬品データベースにおいて、錠剤については、その錠剤に形成されている錠剤の識別情報、錠剤の形状などの情報が記憶されている。なお、前記薬品データベースは、例えば前記ドライブ装置２６によってＣＤ又はＤＶＤなどの記録媒体から読み取られ、又は前記通信網Ｎ１を介して外部装置から受信され、前記データ記憶部２２に記憶される。なお、前記薬品データベースは、前記鑑査支援システム１において、前記医薬品マスターなどの各種マスターに情報を取り込む際、又は薬品各々の添付文書の情報を参照する際などに使用される。例えば、前記鑑査支援システム１では、前記サーバー２又は前記クライアント端末３などにおけるユーザー操作に応じて前記薬品データベースが表示可能である。また、前記制御部２１が、前記通信網Ｎ１を介して外部装置又はウェブサイトから前記薬品データベースを必要に応じて読み出すことが可能な構成であってもよい。なお、前記薬品データベースは前記医薬品マスターの更新などに用いられる。
【００２８】  前記通信Ｉ／Ｆ２３は、前記通信網Ｎ１を介して前記クライアント端末２、前記錠剤分包装置４、及び前記調剤機器５などの外部機器との間で、予め定められた通信プロトコルに従って無線又は有線でデータ通信を実行するネットワークカード等を有する通信インターフェースである。
【００２９】  前記表示部２４は、前記制御部２１からの制御指示に従って各種の情報及び操作画面を表示する液晶モニター等の表示部である。前記操作部２５は、ユーザー操作を受け付けるキーボード、マウス及びタッチパネル等の操作部であり、ユーザー操作に対応する操作信号を前記制御部２１に入力する。前記操作部２５は、例えば前記表示部２４に表示された表示画面における処方データの選択操作、及び前記処方データの調剤開始を要求する処方データの発行操作などの各種操作入力を受け付ける。
【００３０】  前記ドライブ装置２６は、前記鑑査支援プログラムが記録されたコンピュータ読み取り可能な記録媒体２６１から前記鑑査支援プログラムを読み取ることが可能である。前記記録媒体２６１は、ＣＤ、ＤＶＤ、ＢＤ、又はＵＳＢメモリーなどであり、前記ドライブ装置２６は、ＣＤドライブ、ＤＶＤドライブ、ＢＤドライブ、又はＵＳＢポートなどである。前記サーバー２では、前記制御部２１により、前記ドライブ装置２６を用いて前記記録媒体２６１から読み取られた前記鑑査支援プログラムが前記記憶部２２に記憶される。
【００３１】  前記コード読取部２７は、コード情報（バーコード又は二次元コードなど）を読み取ることが可能なバーコードリーダーである。例えば、前記コード読取部２７は、処方箋に記載された前記コード情報から処方データを読み取るために用いられる。前記処方箋から読み取られた処方データは前記制御部２１によって前記記憶部２２に記憶される。
【００３２】  このように構成された前記サーバー２において、前記制御部２１は、表示処理部２１１、操作表示処理部２１２、及び再実行処理部２１３を含む。具体的に、前記制御部２１は、前記鑑査支援プログラムに従って各種の処理を実行することにより、前記表示処理部２１１、前記操作表示処理部２１２、及び前記再実行処理部２１３として機能する。なお、前記制御部２１は、前記処方データに基づいて前記錠剤分包装置４及び前記調剤機器５による分包処理などの調剤処理を実行させるための調剤用の処方データ（調剤データ）を生成し、その処方データを前記錠剤分包装置４及び前記調剤機器５に入力する機能も有する。これにより、前記錠剤分包装置４及び前記調剤機器５では、前記処方データに基づいて分包処理などの調剤処理が実行される。
【００３３】  前記表示処理部２１１は、前記錠剤分包装置４において処方データに基づいて後述の錠剤カセット４１及び手撒きユニット４２のいずれか一方又は両方から払い出された一又は複数の錠剤が服用タイミングごとに薬包４５１などの包装材により包装される分包処理において撮影された前記錠剤各々の撮影画像を分包単位（一包単位）で前記クライアント端末３などに表示する。なお、本実施形態において、前記服用タイミングは、服用日及び服用時期（朝食後、昼食後、夕食後など）を含む用語として用いるが、本発明における服用タイミングは単に服用時期を示すものであってもよい。特に、前記表示処理部２１１は、同一の前記処方データについて複数回の前記分包処理が実行された場合に、その複数回の前記分包処理で撮影された前記撮影画像を合成して表示させることが可能である。なお、前記撮影画像は、前記分包処理各々において前記錠剤各々が前記分包紙で包装される前又は後で撮影される。また、前記表示処理部２１１は、前記錠剤の撮影画像に含まれる前記錠剤の識別情報（文字又は記号など）と前記処方データとに基づいて実行される自動鑑査処理の鑑査結果を前記クライアント端末３などに表示する。より具体的に、前記表示処理部２１１は、前記撮影画像と共に前記撮影画像が撮影されたときの前記自動鑑査処理による鑑査結果を表示することが可能である。
【００３４】  前記操作表示処理部２１２は、前記錠剤分包装置４及び前記調剤機器５で調剤された薬剤の鑑査結果が表示される画面に、前記錠剤分包装置４及び前記調剤機器５で実行された前記処方データに基づく調剤処理の一部又は全部を個別に再実行させるための操作部を表示させる。
【００３５】  前記再実行処理部２１３は、前記操作表示処理部２１２により表示される前記操作部に対するユーザー操作に応じて、前記錠剤分包装置４又は前記調剤機器５で実行された調剤処理の一部又は全部を前記錠剤分包装置４又は前記調剤機器５に再実行させる。例えば、前記再実行処理部２１３は、前記処方データに基づいて前記調剤処理の一部又は全部を実行するための再実行データを生成し、前記再実行データを再実行指示と共に前記錠剤分包装置４又は前記調剤機器５に送信する。なお、前記再実行データは、前記処方データに基づく前記調剤処理のうち一又は複数の服用タイミングに対応する調剤処理を再実行するためのデータであり、前記調剤処理の一部又は全部は、一又は複数の服用タイミングについての調剤処理である。
【００３６】  具体的に、本実施形態において、前記操作表示処理部２１２は、前記錠剤分包装置４で実行された分包処理の一部又は全部を再実行させるための再発行操作画面Ｄ３０４（図１５参照）を表示させることが可能である。なお、前記分包処理の一部又は全部は、一又は複数の服用タイミングについての分包処理であり、前記再実行データは、一又は複数の服用タイミングについての前記分包処理を再実行するためのデータである。そして、前記再実行処理部２１３は、前記再発行操作画面Ｄ３０４に対するユーザー操作に応じて、前記錠剤分包装置４で実行された分包処理の一部又は全部を同一又は異なる前記錠剤分包装置４に再実行させることが可能である。
【００３７】［クライアント端末３］  前記クライアント端末３は、制御部３１、記憶部３２、通信Ｉ／Ｆ３３、表示部３４、操作部３５、ドライブ装置３６、及びコード読取部３７などを備えるパーソナルコンピュータである。前記クライアント端末３各々は、前記鑑査支援システム１が使用される医療機関に配置され、薬剤師などのユーザーによって操作される操作端末である。
【００３８】  前記制御部３１は、ＣＰＵ、ＲＯＭ、ＲＡＭ、及びＥＥＰＲＯＭなどの制御機器を有する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部、前記ＥＥＰＲＯＭは不揮発性の記憶部である。前記ＲＡＭ及び前記ＥＥＰＲＯＭは、前記ＣＰＵが実行する各種の処理の一時記憶メモリー（作業領域）として使用される。そして、前記制御部３１は、前記ＣＰＵを用いて、前記ＲＯＭ、前記ＥＥＰＲＯＭ、又は前記記憶部３２に予め記憶された各種の制御プログラムに従って各種の処理を実行する。
【００３９】  前記記憶部３２は、前記制御部３１によって実行される各種のアプリケーションプログラム及び各種のデータが記憶されるハードディスク又はＳＳＤ等の不揮発性の記憶部である。具体的に、前記記憶部３２には、オペレーティングシステム（ＯＳ）及びブラウザソフトなどのアプリケーションプログラムが記憶される。前記ブラウザソフトは、前記通信網Ｎ１を介して前記サーバー２にアクセスすることにより前記表示部３４に各種の操作画面などを表示させると共に、前記操作部３５を用いた前記操作画面に対する入力操作を前記サーバー２に伝達するためのアプリケーションソフトウェアである。具体的に、前記制御部３１は、前記ブラウザソフトにより表示される操作画面の所定位置に、前記サーバー２に対応するＵＲＬ（Universal  Resource  Locator）などのアドレス情報が入力された場合に、該アドレス情報に基づいて前記サーバー２にアクセスする。
【００４０】  前記通信Ｉ／Ｆ３３は、前記通信網Ｎ１を介して前記サーバー２などの外部機器との間で、予め定められた通信プロトコルに従って無線又は有線でデータ通信を実行するネットワークカード等を有する通信インターフェースである。
【００４１】  前記表示部３４は、前記制御部３１からの制御指示に従って各種の情報を表示する液晶ディスプレイ又は有機ＥＬディスプレイなどの表示部である。前記操作部３５は、前記クライアント端末３に各種の情報を入力するためにユーザーによって操作される操作部である。具体的に、前記操作部３５は、前記表示部３４に表示される各種の操作画面における入力操作を受け付けるキーボード、マウス（ポインティングデバイス）、及びタッチパネル等を含む。また、前記操作部３５は、音声認識により各種情報の入力を受け付ける音声入力装置を含むものであってもよい。
【００４２】  前記ドライブ装置３６は、前記ＯＳ又は前記ブラウザソフトなどが記録されたコンピュータ読み取り可能な記録媒体３６１から前記ＯＳ又は前記ブラウザソフトなどを読み取ることが可能である。前記記録媒体３６１は、ＣＤ、ＤＶＤ、ＢＤ、又はＵＳＢメモリーなどであり、前記ドライブ装置３６は、ＣＤドライブ、ＤＶＤドライブ、ＢＤドライブ、又はＵＳＢポートなどである。前記クライアント端末３では、前記制御部３１により、前記ドライブ装置３６を用いて前記記録媒体３６１から読み取られた前記ＯＳ又は前記ブラウザソフトなどが前記記憶部３２に記憶される。
【００４３】  前記コード読取部３７は、コード情報（バーコード又は二次元コードなど）を読み取ることが可能なバーコードリーダーである。例えば、前記コード読取部３７は、薬包４５１に記載された前記コード情報を読み取るために用いられる。
【００４４】  そして、前記鑑査支援システム１では、前記サーバー２及び前記クライアント端末３によりサーバクライアントシステムが構成されており、前記サーバー２が前記クライアント端末３のユーザー操作に応じて各種の処理を実行する場合について説明する。そのため、以下に説明する「表示」、「操作」、「選択」、「入力」などは、前記クライアント端末３の前記表示部３４及び前記操作部３５を用いて行われる。例えば、前記サーバー２の制御部２１は、ＨＴＭＬなどのページ記述言語によって記述されたデータを前記クライアント端末３に送信することにより、前記クライアント端末３に各種の画面を表示させる。
【００４５】  なお、前記サーバー２、前記クライアント端末３、及び前記錠剤分包装置４のいずれか一つ又は複数に、前記鑑査支援プログラムの一部又は全部がインストールされており、後述の鑑査支援処理が前記サーバー２、前記クライアント端末３、及び前記錠剤分包装置４などによって協働して実行されることも考えられる。
【００４６】［錠剤分包装置４］  前記錠剤分包装置４は、薬剤を調剤するために用いられる調剤機器である。具体的に、前記錠剤分包装置４は、図１、図２、及び図３に示されるように、制御部４０、錠剤カセット４１、手撒きユニット４２、個別払出部４３、回転ユニット４４、分包ユニット４５、撮影部４６、通過検出部４７、操作表示部４８、及び記憶部４９等を備える。
【００４７】  そして、前記錠剤分包装置４は、前記処方データに基づいて前記錠剤カセット４１及び前記手撒きユニット４２のいずれか一方又は両方から錠剤を自動的に払い出して服用単位で分包することが可能である。なお、図３における一点鎖線は、錠剤の移動経路を示している。
【００４８】  前記制御部４０は、ＣＰＵ等のプロセッサーとＲＡＭ及びＥＥＰＲＯＭなどの記憶部とを有しており、前記ＥＥＰＲＯＭ又は前記記憶部４９などに予め記憶されている分包制御プログラムに従って各種の処理を実行することにより前記錠剤分包装置４を統括的に制御する。具体的に、前記制御部４０は、前記サーバー２から入力される前記処方データに基づいて前記錠剤分包装置４の動作を制御することにより前記処方データに対応する一種類又は複数種類の錠剤を服用タイミングごとに分包する分包処理を実行させる。なお、前記分包制御プログラムは、前記錠剤分包装置４の前記制御部４０に各種の処理を実行させるためのプログラムであり、例えばＣＤ又はＤＶＤなどの記録媒体に予め記憶されている。そして、前記錠剤分包装置４では、不図示のドライブ装置によって前記記録媒体から前記分包制御プログラムが読み取られて前記記憶部４９に記憶される。
【００４９】  前記操作表示部４８は、液晶ディスプレイなどの表示部とタッチパネルなどの操作部とを含む。また、前記記憶部４９は、ハードディスクドライブ又はソリッドステートドライブなどの記憶装置である。
【００５０】  前記錠剤分包装置４には、各種の錠剤が収容される複数の前記錠剤カセット４１が設けられている。前記錠剤分包装置４各々では、前記処方データに処方薬として含まれる錠剤が前記錠剤カセット４１から自動的に払い出される。
【００５１】  また、前記錠剤カセット４１には、図２に示されるように、前記錠剤分包装置４の前面カバー４００の開放状態及び閉鎖状態において前記錠剤分包装置４に着脱可能な一又は複数の特殊錠剤カセット４１１も含まれる。前記特殊錠剤カセット４１１は、任意の種類の錠剤を一錠単位で払い出すことが可能なカセットである。例えば、前記特殊錠剤カセット４１１と同種のカセットは、国際公開第２０１４／１１２２２１号に開示されている。
【００５２】  前記手撒きユニット４２は、例えば１錠未満の半錠又は１／４錠の錠剤のように前記錠剤カセット４１からの払い出しに適さない錠剤の払い出しに用いられるものであり、前記錠剤分包装置４に対して引き出し可能に設けられている。具体的に、前記手撒きユニット４２は、マトリクス状（格子状）に設けられた複数のＤＴＡマス４２１と複数の前記ＤＴＡマス４２１に対応して設けられた複数の発光部４２２とを備える。例えば、前記発光部４２２は、前記制御部４０によって制御されることにより、予め設定された複数の発光色から選択される発光色で発光可能なＬＥＤである。前記発光部４２２各々は、対応する前記ＤＴＡマス４２１の近傍に設けられている。
【００５３】  また、前記個別払出部４３は、前記手撒きユニット４２のＤＴＡマス４２１各々の位置に対応する複数のマスを備え、前記個別払出部４３のマス各々は、前記手撒きユニット４２が前記錠剤分包装置４に収容された状態で、前記ＤＴＡマス４２１各々の下方に位置する。
【００５４】  そして、前記手撒きユニット４２が使用される際には、前記錠剤分包装置４の前面から前記手撒きユニット４２が引き出され、前記ＤＴＡマス４２１各々に例えば１錠未満の半錠又は１／４錠などの錠剤が投入される。その後、前記手撒きユニット４２のＤＴＡマス４２１各々に投入された錠剤は前記個別払出部４３のマス各々に供給される。例えば、前記手撒きユニット４２は、前記ＤＴＡマス４２１各々の底面が開閉可能であり、前記底面が開かれることによって前記ＤＴＡマス４２１各々に投入されている錠剤が前記個別払出部４３のＤＴＡマス４２１各々に落下する。
【００５５】  前記個別払出部４３は、前記個別払出部４３のマス各々に収容された前記錠剤をマス単位で前記回転ユニット４４に供給することが可能である。なお、前記手撒きユニット４２及び前記個別払出部４３と同様にマス単位で錠剤を払出可能な手撒きユニットは、例えば特開２００６−１１０３８６号公報に開示されている。
【００５６】  例えば、前記個別払出部４３は、前記マス各々の底面を順に開閉可能な開閉機構を備えており、前記開閉機構によって前記マス各々の底面が順に開かれることによって前記マス各々に投入されている錠剤が順に払い出される。より具体的に、前記個別払出部４３は、前記マス各々から予め定められた特定の順番で前記マス内の錠剤を前記回転ユニット４４に供給することが考えられる。
【００５７】  具体的に、前記錠剤分包装置４において、前記制御部４０は、前記処方データに基づく前記分包処理で前記手撒きユニット４２の使用が必要な錠剤各々を前記ＤＴＡマス４２１各々に割り当てる割当処理を実行する。例えば、前記割当処理では、前記錠剤各々が、前記ＤＴＡマス４２１が配置された列及び行に沿った順で連続的に割り当てられる。ここに、図２３Ａは、前記手撒きユニット４２の平面模式図であり、図２３Ｂは、前記手撒きユニット４２のＤＴＡマス４２１各々への割当結果の一例を示す概念図である。
【００５８】  図２３Ａに示されるように、前記手撒きユニット４２において、前記ＤＴＡマス４２１は、横にＡ列〜Ｋ列の１１列であり、縦はＡ列〜Ｊ列については１行目〜６行目の６行であり、Ｋ列については１行目〜３行目の３行である。即ち、前記手撒きユニット４２は、合計で６３個の前記ＤＴＡマス４２１を備える。なお、以下の説明では、前記手撒きユニット４２の列及び行の組み合わせにより前記ＤＴＡマス４２１の位置を特定することがあり、例えばＡ列の２行目の前記ＤＴＡマス４２１をＤＴＡマス４２１Ａ２と称することがある。
【００５９】  ここでは、前記分包処理の対象となる前記処方データに、前記手撒きユニット４２を使用する必要がある処方薬として錠剤Ｍ１、錠剤Ｍ２、錠剤Ｍ３が含まれており、前記錠剤Ｍ１、Ｍ３は、服用時期が朝、昼、夕の１日３回で２日分、服用タイミング各々の処方量が１錠であるとする。なお、本実施形態において、朝は朝食後、昼は昼食後、夕は夕食後の略称であり、前記服用時期の他の例には朝食前、昼食前、夕食前、食間、眠前、頓服などがある。一方、前記錠剤Ｍ２は、服用時期が朝、夕の１日２回で２日分、朝の処方量が２錠であり、夕の処方量が１錠であるとする。例えば、前記処方データでは、１日目の朝については、錠剤Ｍ１、錠剤Ｍ２、錠剤Ｍ２、及び錠剤Ｍ３の合計４錠が同一の薬包４５１に分包される。
【００６０】  この場合、前記制御部４０は、図２３Ｂに示されるように、前記服用タイミングごとに前記服用タイミングに対応する錠剤をＤＴＡマス４２１Ａ１、ＤＴＡマス４２１Ａ２、・・・の順で割り当てる。なお、本実施形態では、「１錠」を１粒の錠剤である旨を意味する用語として用いることがあり、「１錠」には半錠及び１／４錠なども含まれる。
【００６１】  具体的には、図２３Ｂに示されるように、服用タイミングが１日目の朝に対応する錠剤Ｍ１、錠剤Ｍ２、錠剤Ｍ２、錠剤Ｍ３が、ＤＴＡマス４２１Ａ１、ＤＴＡマス４２１Ａ２、ＤＴＡマス４２１Ａ３、ＤＴＡマス４２１Ａ４にそれぞれ割り当てられている。同じく、服用タイミングが２日目の朝に対応する錠剤Ｍ１、錠剤Ｍ２、錠剤Ｍ２、錠剤Ｍ３は、ＤＴＡマス４２１Ａ５、ＤＴＡマス４２１Ａ６、ＤＴＡマス４２１Ｂ１、ＤＴＡマス４２１Ｂ２にそれぞれ割り当てられている。また、服用タイミングが１日目の昼に対応する錠剤Ｍ１、錠剤Ｍ３は、ＤＴＡマス４２１Ｂ３、ＤＴＡマス４２１Ｂ４にそれぞれ割り当てられ、服用タイミングが２日目の昼に対応する錠剤Ｍ１、錠剤Ｍ３は、ＤＴＡマス４２１Ｂ５、ＤＴＡマス４２１Ｂ６にそれぞれ割り当てられている。さらに、服用タイミングが１日目の夕に対応する錠剤Ｍ１、錠剤Ｍ２、錠剤Ｍ３は、ＤＴＡマス４２１Ｃ１、ＤＴＡマス４２１Ｃ２、ＤＴＡマス４２１Ｃ３にそれぞれ割り当てられ、服用タイミングが２日目の夕に対応する錠剤Ｍ１、錠剤Ｍ２、錠剤Ｍ３は、ＤＴＡマス４２１Ｃ４、ＤＴＡマス４２１Ｃ５、ＤＴＡマス４２１Ｃ６に割り当てられている。なお、１日目の朝、昼、夕、２日目の朝、昼、夕の合計６回の服用タイミングの順で前記錠剤各々が前記ＤＴＡマス４２１各々に連続して割り当てられてもよい。
【００６２】  そして、前記制御部４０は、前記錠剤分包装置４において、前記処方データに基づく前記分包処理において前記手撒きユニット４２が用いられる場合には、前記分包処理の開始に際して、前記手撒きユニット４２に投入すべき錠剤各々に対応する前記ＤＴＡマス４２１各々の位置を案内し、薬剤師による前記手撒きユニット４２への錠剤の投入を支援する手撒き支援処理を実行する。具体的に、前記制御部４０は、前記手撒き支援処理において、前記錠剤各々に対応する前記ＤＴＡマス４２１各々の位置を示す鑑査支援画面Ｄ０を前記操作表示部４８に表示させると共に、前記錠剤各々に対応する前記ＤＴＡマス４２１各々の位置を前記ＤＴＡマス４２１各々に対応する前記発光部４２２の点灯パターンによって表示させる。
【００６３】  ここに、図２４Ａは、前記手撒き支援画面Ｄ０の一例を示す図であり、図２４Ｂは、前記発光部４２２の点灯パターンの一例を示す図である。なお、本実施形態では、前記発光部４２２が、予め設定された発光色Ｌ１〜Ｌ６の６種類の色で発光可能であるとする。
【００６４】  まず、前記手撒き支援処理において、前記制御部４０は、前記錠剤Ｍ１に前記発光色Ｌ１を割り当て、前記錠剤Ｍ２に前記発光色Ｌ２を割り当て、前記錠剤Ｍ３に前記発光色Ｌ３を割り当てる。そして、前記制御部４０は、前記手撒き支援画面Ｄ０において、前記錠剤Ｍ１〜Ｍ３各々に割り当てられた前記ＤＴＡマス４２１の位置に前記発光色Ｌ１〜Ｌ３の配色を施した配置表示領域Ａ０を表示させる。これにより、ユーザーは、前記手撒き支援画面Ｄ０を参照して前記錠剤Ｍ１〜Ｍ３各々の前記ＤＴＡマス４２１各々への投入位置を容易に把握することが可能となり、ユーザーによる前記手撒きユニット４２への錠剤の投入作業の効率化が図られる。
【００６５】  また、前記制御部４０は、前記手撒き支援画面Ｄ０において、前記錠剤Ｍ１〜Ｍ３のリストを示す処方表示領域Ｂ０を表示させる。特に、前記制御部４０は、前記処方表示領域Ｂ０において、前記錠剤Ｍ１〜Ｍ３の背景色として前記錠剤Ｍ１〜Ｍ３にそれぞれ対応する前記発光色Ｌ１〜Ｌ３と同じ色で表示させる。これにより、ユーザーは、前記錠剤Ｍ１〜Ｍ３に対応する配色を容易に把握することが可能である。
【００６６】  一方、前記制御部４０は、図２４Ｂに示されるように、前記手撒きユニット４２において、前記錠剤Ｍ１〜Ｍ３各々に対応する前記ＤＴＡマス４２１各々の前記発光部４２２を前記発光色Ｌ１〜Ｌ３の配色で点灯させる。これにより、ユーザーは、前記発光部４２２の発光色を参照して前記錠剤Ｍ１〜Ｍ３各々の前記ＤＴＡマス４２１各々への投入位置を容易に把握することが可能となり、ユーザーによる前記手撒きユニット４２への錠剤の投入作業の効率化が図られる。
【００６７】  さらに、前記手撒き支援画面Ｄ０には、前記配置表示領域Ａ０における表示内容及び前記発光部４２２の点灯態様を切り替えるための操作キーＫ０が表示されている。そして、前記制御部４０は、前記操作キーＫ０の操作に応じて、前記配置表示領域Ａ０の表示内容及び前記発光部４２２の点灯パターンを、前記錠剤ごとに個別に表示される状態と複数の錠剤について同時に表示される状態とに切り替える。
【００６８】  具体的に、図２５Ａ及び図２５Ｂは、前記錠剤Ｍ１に対応する前記ＤＴＡマス４２１の位置のみが前記配置表示領域Ａ０及び前記発光部４２２で示された状態、図２６Ａ及び図２６Ｂは、前記錠剤Ｍ２に対応する前記ＤＴＡマス４２１の位置のみが前記配置表示領域Ａ０及び前記発光部４２２で示された状態、図２７Ａ及び図２７Ｂは、前記錠剤Ｍ３に対応する前記ＤＴＡマス４２１の位置のみが前記配置表示領域Ａ０及び前記発光部４２２で示された状態である。これにより、ユーザーは、前記操作キーＫ０を操作して前記錠剤Ｍ１〜Ｍ３を順に前記ＤＴＡマス４２１に投入する作業を容易に行うことが可能となる。
【００６９】  また、他の実施形態として、前記制御部４０は、前記操作表示部４８に対する所定の操作又は前記錠剤分包装置４の初期設定により、予め設定された複数の配色パターンを切り替え可能であることが考えられる。より具体的に、前記制御部４０は、図２４Ａ及び図２４Ｂに示されるように錠剤の種類ごとに異なる色が表示される第１配色パターンと、図２８Ａ及び図２８Ｂに示されるように服用時期（用法）ごとに異なる色が表示される第２配色パターンとを切り替えることが考えられる。なお、前記第１配色パターンと前記第２配色パターンとの切り替えは、前記手撒き支援画面Ｄ０の表示中にも実行可能である。
【００７０】  図２８Ａ及び図２８Ｂに示される前記第２配色パターンでは、服用時期が朝である錠剤に対応する前記ＤＴＡマス４２１に前記発光色Ｌ１が割り当てられ、服用時期が昼である錠剤に対応する前記ＤＴＡマス４２１に前記発光色Ｌ２が割り当てられ、服用時期が夕である錠剤に対応する前記ＤＴＡマス４２１に前記発光色Ｌ３が割り当てられている。この場合、前記制御部４０は、前記処方表示領域Ｂ０における前記処方データの表示態様も服用時期ごとの錠数が表示されるように変更する。なお、前記処方表示領域Ｂ０において、前記錠剤Ｍ１〜Ｍ３に対応して表示される六桁の数字は、各桁が例えば起床時、朝、昼、夕、眠前、頓服などの服用時期に対応する錠数を示す。
【００７１】  ところで、前記錠剤各々の前記ＤＴＡマス４２１への割当パターンは、ここで説明したものに限らない。具体的に、前記錠剤分包装置４では、前記操作表示部４８に対する所定の操作又は前記錠剤分包装置４の初期設定により、予め設定された複数の割当パターンを任意に切り替え可能であることが考えられる。
【００７２】  例えば、前述した図２４Ａ及び図２４Ｂ、並びに図２８Ａ及び図２８Ｂは、前記服用タイミング各々に対応する錠剤が、予め設定された行又は列に沿って連続的に前記セルに割り当てられる第１割当パターンが選択されている場合に対応する。
【００７３】  一方、図２９Ａ及び図２９Ｂは、一の前記服用タイミングに対応する錠剤を、予め設定された単位行又は単位列に属する複数の前記セルに割り当てる第２割当パターンが選択されている場合に対応する。ここでは、前記第２割当パターンが、一の前記服用タイミングに対応する錠剤が一列（単位列の一例）ごとの複数の前記ＤＴＡマス４２１に割り当てられるパターンである場合を例に挙げて説明する。具体的に、同じ薬包４５１に包装される錠剤は同じ列の前記ＤＴＡマス４２１に割り当てられる。即ち、同じ列の異なる複数の前記ＤＴＡマス４２１に撒かれた錠剤は同一の薬包４５１に包装される。また、前記第２割当パターンでは、前記ＤＴＡマス４２１の同じ行には、同じ種類の錠剤が割り当てられ、同じ種類の錠剤が存在しない服用タイミングの場合は空白となる。なお、前記服用タイミングごとに二列の前記ＤＴＡマス４２１が割り当てられることも考えられる。
【００７４】  前記第２割当パターンが選択されている場合、前記制御部４０は、図２９Ａ及び図２９Ｂに示されるように、１日目の朝、２日目の朝、１日目の昼、２日目の昼、１日目の夕、２日目の夕の合計６回の服用タイミングを、前記手撒きユニット４２の前記ＤＴＡマス４２１のＡ列、Ｂ列、Ｃ列、Ｄ列、Ｅ列、Ｆ列にそれぞれ割り当てる。
【００７５】  具体的に、１日目の朝に対応する錠剤Ｍ１、錠剤Ｍ２、錠剤Ｍ２、錠剤Ｍ３は、Ａ列のＤＴＡマス４２１Ａ１、ＤＴＡマス４２１Ａ２、ＤＴＡマス４２１Ａ３、ＤＴＡマス４２１Ａ４にそれぞれ割り当てられている。また、２日目の朝に対応する錠剤Ｍ１、錠剤Ｍ２、錠剤Ｍ２、錠剤Ｍ３は、Ｂ列のＤＴＡマス４２１Ｂ１、ＤＴＡマス４２１Ｂ２、ＤＴＡマス４２１Ｂ３、ＤＴＡマス４２１Ｂ４にそれぞれ割り当てられている。次に、１日目の昼に対応する錠剤Ｍ１、錠剤Ｍ３は、Ｃ列のＤＴＡマス４２１Ｃ１、ＤＴＡマス４２１Ｃ４にそれぞれ割り当てられ、２日目の昼に対応する錠剤Ｍ１、錠剤Ｍ３は、Ｄ列のＤＴＡマス４２１Ｄ１、ＤＴＡマス４２１Ｄ４にそれぞれ割り当てられている。また、１日目の夕に対応する錠剤Ｍ１、錠剤Ｍ２、錠剤Ｍ３は、Ｅ列のＤＴＡマス４２１Ｅ１、ＤＴＡマス４２１Ｅ２、ＤＴＡマス４２１Ｅ４にそれぞれ割り当てられ、２日目の夕に対応する錠剤Ｍ１、錠剤Ｍ２、錠剤Ｍ３は、Ｆ列のＤＴＡマス４２１Ｆ１、ＤＴＡマス４２１Ｆ２、ＤＴＡマス４２１Ｆ４に割り当てられている。なお、１日目の朝、昼、夕、２日目の朝、昼、夕の合計６回の服用タイミングが、この順で前記手撒きユニット４２の前記ＤＴＡマス４２１のＡ列、Ｂ列、Ｃ列、Ｄ列、Ｅ列、Ｆ列にそれぞれ割り当てられてもよい。
【００７６】  なお、前記第２割当パターンが使用される場合においても、前記制御部４０は、前記第１割当パターンと同様に、前記操作キーＫ０の操作に応じて、前記配置表示領域Ａ０及び前記発光部４２２各々における表示内容を、前記処方データに処方薬として含まれる前記錠剤Ｍ１〜Ｍ３が個別に表示される状態と前記錠剤Ｍ１〜Ｍ３が同時に表示される状態とに切り替えることが可能である。
【００７７】  また、前記発光部４２２で表現可能な発光色が６色である場合、最大で６種類の錠剤に対応することが可能であるが、前記手撒きユニット４２を用いる錠剤が７種類を超える場合に対応することができない。これに対し、例えば前記制御部４０は、前記発光部４２２の発光色と、例えば点灯及び点滅などの点灯態様との組み合わせによって７種類以上の対応可能な錠剤の種類数に対応することが考えられる。なお、前記発光部４２２で表現可能な６色を超える７種類目以降の錠剤については予め設定された特定の発光色の点滅を割り当てることも考えられる。
【００７８】  また、前記制御部４０は、前記切替操作に応じて、前記発光部４２２の発光色Ｌ１〜Ｌ６に割り当てる錠剤を切り替えることが考えられる。具体的に、前記手撒き支援画面Ｄ０及び前記発光部４２２の初期表示状態では、１種類目〜６種類目までの錠剤に前記発光色Ｌ１〜Ｌ６の点灯態様を割り当てると共に、７種類目以降の種類の錠剤には、前記発光色Ｌ６の点滅態様を割り当てる。次に、前記切替操作が行われると、前記制御部４０は、７種類目〜１２種類目までの錠剤に前記発光色Ｌ１〜Ｌ６の点灯態様を割り当てると共に、６種類目までの種類の錠剤には消灯を割り当て、１３種類目以降の種類の錠剤には前記発光色Ｌ６の点滅態様を割り当てる。その後も同様に、前記切替操作が行われると、前記制御部４０は、１３種類目〜１８種類目までの錠剤に前記発光色Ｌ１〜Ｌ６の点灯態様を割り当てると共に、１２種類目までの種類の錠剤には消灯を割り当て、１９種類目以降の種類の錠剤には前記発光色Ｌ６の点滅態様を割り当てる。続いて、前記切替操作が行われると、前記制御部４０は、１９種類目〜２４種類目までの錠剤に前記発光色Ｌ１〜Ｌ６の点灯態様を割り当てると共に、１８種類目までの種類の錠剤には消灯を割り当て、２５種類目以降の種類の錠剤には前記発光色Ｌ６の点滅態様を割り当てる。また、前記切替操作が行われると、前記制御部４０は、２５種類目の錠剤に前記発光色Ｌ１の点灯態様を割り当てると共に、２４種類目までの種類の錠剤には消灯を割り当て、２６種類目以降の種類の錠剤には前記発光色Ｌ６の点滅態様を割り当てる。これにより、前記錠剤分包装置４では、最大で２５種類の錠剤に対応することが可能である。
【００７９】  なお、前記処方データに基づく前記分包処理で前記手撒きユニット４２を使用する錠数又は服用タイミングに対して、前記手撒きユニット４２の前記ＤＴＡマス４２１の列数が不足するおそれがある。この場合、前記制御部４０は、前記処方データに基づく前記分包処理で前記手撒きユニット４２を使用する錠数又は服用タイミングを前記手撒きユニット４２に一度に投入可能な範囲で複数回に分割し、その分割された各回について前記錠剤各々の前記ＤＴＡマス４２１への割り当てを行うことが考えられる。具体的に、前記制御部４０は、前記手撒きユニット４２が開閉される度に、割り当て可能な数の前記錠剤各々の前記ＤＴＡマス４２１への割り当てを順次更新することが考えられる。
【００８０】  また、前記錠剤分包装置４において、前記制御部４０は、ユーザー操作又は前記サーバー２からの制御指示に従って、前記自動鑑査処理の有無を切り替えることが可能である。例えば、前記錠剤分包装置４の前記自動鑑査処理で用いる前記カメラ４６１等が故障した場合などには、前記自動鑑査処理が自動的に無効に切り替えられる。また、前記自動鑑査処理には時間を要するため、ユーザーの意思によって前記自動鑑査処理が無効に設定されることがある。このように前記自動鑑査処理が実行されない場合、前記ＤＴＡマス４２１各々から錠剤を１錠ずつ払い出す必要がない。そこで、前記制御部４０は、前記自動鑑査処理が実行されない場合には、前記手撒きユニット４２の前記ＤＴＡマス４２１各々に前記服用単位で前記錠剤を割り当てることが考えられる。即ち、前記自動鑑査処理が実行されない場合には、前記ＤＴＡマス４２１各々に一服用分の錠剤が投入されるように前記服用タイミング各々と前記ＤＴＡマス４２１とが割り当てられる。これにより、前記ＤＴＡマス４２１各々から前記個別供給部４３を介して前記回転ユニット４４の前記錠剤回転部４４１各々に服用タイミング単位で錠剤が供給され、前記服用タイミング単位で錠剤が前記分包ユニット４５に供給され、前記分包処理の所要時間が短縮される。なお、この場合には、例えば前記回転ユニット４４の前記錠剤回転部４４１が駆動されずに前記錠剤回転部４４１上の錠剤が前記カメラ４６２又は４６３によって１枚だけ撮影される。
【００８１】  前記撮影部４６は、図３に示されるように、前記錠剤カセット４１から前記分包ユニット４５までの錠剤の移動経路、及び前記手撒きユニット４２から前記分包ユニット４５までの錠剤の移動経路に設けられるカメラ４６１〜４６４を含む。なお、前記カメラ４６１〜４６４で撮影される画像はカラー又はモノクロである。前記カメラ４６１〜４６４は、前記錠剤カセット４１又は前記手撒きユニット４２から払い出された錠剤が前記分包ユニット４５によって分包紙で分包される前に前記錠剤を１錠又は複数錠ごとに撮影するために用いられる。そして、前記カメラ４６１〜４６４により撮影される錠剤の撮影画像は、前記制御部４０によって、前記撮影画像が撮影されたときの前記分包処理の対象である前記処方データに対応付けて前記記憶部４９に記憶されると共に前記サーバー２に送信される。
【００８２】  図３に示されるように、前記カメラ４６１は、前記錠剤カセット４１から前記回転ユニット４４に供給された錠剤を撮影するために用いられる。前記カメラ４６２及び前記カメラ４６３は、前記回転ユニット４４に設けられた後述の錠剤回転部４４１で回転している錠剤から、その錠剤の外周の異なる複数の領域（例えば表面及び裏面など）を撮影するために用いられる。前記カメラ４６４は、前記手撒きユニット４２に収容された錠剤を撮影するために用いられる。
【００８３】  特に、前記制御部４０は、前記処方データに基づく前記分包処理が実行される際に、前記カメラ４６２又は前記カメラ４６３を用いて錠剤ごとに複数枚撮影して前記錠剤が収容される前記薬包４５１に対応付けて前記記憶部４９に記憶する。より具体的に、前記制御部４０は、後述するように前記処方データについて実行される初回の前記分包処理である第１分包処理において前記カメラ４６２又は４６３を用いて前記錠剤を撮影する第１撮影ステップを実行し、その撮影される錠剤の撮影画像（第１撮影画像）を前記処方データに対応付けて記憶させる第１記憶ステップを実行する。また、前記制御部４０は、２回目以降の前記分包処理である第２分包処理において前記カメラ４６２又は４６３を用いて前記錠剤を撮影する第２撮影ステップを実行し、その撮影される錠剤の撮影画像（第２撮影画像）を前記処方データに対応付けて記憶させる第２記憶ステップを実行する。ここに、前記第１記憶ステップ及び前記第２記憶ステップを実行するときの前記制御部４０が第１記憶処理部の一例である。なお、前記撮影画像が前記処方データに対応付けて記憶されるとは、前記制御部２１又は前記制御部４０などが前記処方データに対応する前記第１分包処理及び前記第２分包処理各々で撮影された前記撮影画像を抽出可能な態様で前記撮影画像各々が記憶されることである。例えば、前記撮影画像各々は、前記処方データを識別するための処方ＩＤなどの処方識別情報に対応付けて記憶される。即ち、前記第１分包処理で撮影される前記第１撮影画像と前記第２分包処理で撮影される前記第２撮影画像とは前記処方データの処方識別情報を介して間接的に対応付けられた状態で記憶されることになる。また、以下で説明するように前記処方データに対応付けて記憶される鑑査結果などの他の情報についても同様である。
【００８４】  なお、前記制御部４０は、前記撮影画像各々について、前記第１分包処理及び前記第２分包処理のいずれで撮影された画像であるかを識別可能な情報も対応付けて記憶させる。特に、前記制御部４０は、前記処方データに基づいて実行された前記分包処理の各回について、前記処方データごとの前記分包処理が何回目であるかを示す情報を当該分包処理で撮影された前記撮影画像に対応付けて記憶させる。例えば、前記処方データに基づく初回の前記分包処理で撮影された撮影画像は、分包処理の回数が１回目である旨を示す情報と対応付けて記憶され、前記処方データに基づく２回目の前記分包処理で撮影された撮影画像は、分包処理の回数が２回目である旨を示す情報と対応付けて記憶され、前記処方データに基づく３回目の前記分包処理で撮影された撮影画像は、分包処理の回数が３回目である旨を示す情報と対応付けて記憶される。これにより、前記制御部４０は、前記撮影画像各々が前記処方データについて実行された前記第１分包処理で撮影された前記第１撮影画像及び前記第２分包処理で撮影された前記第２撮影画像のいずれであるかを判断することができると共に、前記撮影画像各々が何回目の前記分包処理で撮影された画像であるかを判断することも可能である。
【００８５】  また、前記制御部４０は、前記処方データについて２回目以降に実行される前記薬包４５１の前記第２分包処理で撮影された第２撮影画像を前記記憶部４９に記憶した後、当該分包処理よりも前に実行された過去の前記第１分包処理及び前記第２分包処理で撮影された当該薬包４５１に対応する第１撮影画像又は第２撮影画像を前記記憶部４９から消去することが考えられる。これにより、前記制御部４０は、前記薬包４５１ごとに最新の前記分包処理で撮影された撮影画像のみが記憶されており、不要な撮影画像が消去され、前記記憶部４９のような記憶媒体に重要な情報が優先して蓄積されることになる。なお、前記制御部４０は、ユーザー操作による消去確認操作が行われたこと、又は予め自動消去設定が有効に設定されている場合に、過去の前記第１撮影画像又は前記第２撮影画像の消去を実行することが考えられる。また、前記処方データについて２回目の前記分包処理で撮影された第２撮影画像を記憶する場合は、最初に実行された前記分包処理で撮影された第１撮影画像を消去し、前記処方データについて３回目以降に実行される前記分包処理で撮影された第２撮影画像を記憶する際には、過去の第２撮影画像を消去しないことも考えられる。
【００８６】  一方、前記サーバー２の前記制御部２１についても同様に、前記制御部４０から前記撮影画像を受信して前記記憶部２２に記憶することになる。そこで、前記制御部２１も、前記処方データについて２回目以降に実行される前記薬包４５１の前記第２分包処理で撮影された第２撮影画像を受信して前記記憶部２２に記憶した後、当該分包処理よりも前に実行された過去の前記第１分包処理及び前記第２分包処理で撮影された当該薬包４５１に対応する第１撮影画像又は第２撮影画像を前記記憶部２２から消去することが考えられる。なお、前記制御部２１は、ユーザー操作による消去確認操作が行われたこと、又は予め自動消去設定が有効に設定されている場合に、過去の前記第１撮影画像又は前記第２撮影画像の消去を実行することが考えられる。また、前記制御部２１は、前記処方データについて２回目の前記分包処理で撮影された第２撮影画像を記憶する場合は、最初に実行された前記分包処理で撮影された第１撮影画像を消去し、前記処方データについて３回目以降に実行される前記分包処理で撮影された第２撮影画像を記憶する際には、過去の第２撮影画像を消去しないことも考えられる。
【００８７】  さらに、前記制御部４０は、前記処方データに基づく前記分包処理で得られる前記薬包４５１に対応付けて、前記錠剤の種類と、前記撮影画像と、後述の自動鑑査処理における鑑査結果とを前記記憶部４９に記憶する。即ち、前記処方データに含まれる服用タイミングごとに前記錠剤の種類と前記撮影画像と前記鑑査結果とが対応付けて記憶される。具体的に、前記制御部４０は、前記自動鑑査処理において前記処方データに基づく前記分包処理についての鑑査結果のうち前記服用タイミングごとの鑑査結果各々を前記服用タイミング各々に対応付けて記憶する。このように、前記撮影画像が撮影されたときの前記服用タイミング各々と前記撮影画像各々とを対応付けて記憶する記憶処理を実行するときの前記制御部４０も第１記憶処理部の一例である。また、前記服用タイミング各々に対応する前記撮影画像に基づく前記自動鑑査処理の鑑査結果各々と前記服用タイミング各々とを対応付けて記憶する記憶処理を実行するときの前記制御部４０が第２記憶処理部の一例である。ところで、前記制御部４０は、前記自動鑑査処理において前記処方データに基づく前記分包処理の全体についての鑑査結果も前記処方データに対応付けて記憶する。なお、前記制御部２１が、前記自動鑑査処理を実行してその鑑査結果各々と前記服用タイミング各々とを対応付けて記憶する構成も考えられ、この場合には前記制御部２１が第２記憶処理部に相当する。
【００８８】  なお、前記制御部４０は、前記鑑査結果各々についても、前記撮影画像と同様に、前記第１分包処理及び前記第２分包処理のいずれに対応する鑑査結果であるかを識別可能な情報を対応付けて記憶させる。特に、前記制御部４０は、前記処方データに基づいて実行された前記分包処理の各回について、前記処方データごとの前記分包処理が何回目であるかを示す情報を当該分包処理に対応する前記鑑査結果に対応付けて記憶させる。例えば、前記処方データに基づく初回の前記分包処理で実行された前記自動鑑査処理の鑑査結果は、分包処理の回数が１回目である旨を示す情報と対応付けて記憶され、前記処方データに基づく２回目の前記分包処理で実行された前記自動鑑査処理の鑑査結果は、分包処理の回数が２回目である旨を示す情報と対応付けて記憶され、前記処方データに基づく３回目の前記分包処理で実行された前記自動鑑査処理の鑑査結果は、分包処理の回数が３回目である旨を示す情報と対応付けて記憶される。これにより、前記制御部４０は、前記鑑査結果各々が前記処方データについて実行された前記第１分包処理及び前記第２分包処理のいずれに対応する前記自動鑑査処理の鑑査結果であるかを判断することができると共に、前記鑑査結果各々が何回目の前記分包処理に対応する鑑査結果であるかを判断することも可能である。
【００８９】  また、前記制御部４０は、前記服用タイミング（薬包４５１）ごとに実行される前記分包処理の各回について、前記服用タイミングごとの前記分包処理が何回目であるかを示す情報と、前記分包処理の各回における前記服用タイミング（薬包４５１）ごとの前記分包処理について実行される前記自動鑑査処理の鑑査結果とを対応付けて履歴情報として記憶させることも考えられる。係る記憶処理を実行するときの前記制御部４０が記憶処理部の一例である。なお、前記履歴情報には、前記撮影画像が含まれていてもよいが含まれていなくてもよい。
【００９０】  そして、前記履歴情報は、患者情報及び処方データなどに対応付けて記憶され、前記制御部４０から前記サーバー２に送信される。これにより、前記サーバー２の前記制御部２１は、例えばユーザー操作に応じて任意の前記履歴情報を抽出して表示させることが可能である。係る表示処理は、前記表示処理部２１１によって実行される。ここに、図３０Ａ及び図３０Ｂ各々は、前記表示処理部２１１によって表示される前記履歴情報の一例を示す図である。
【００９１】  図３０Ａに示される前記履歴情報では、前記薬包４５１ごとの前記分包処理が何回目であるかを示す情報が表示されると共に、前記分包処理の各回における鑑査結果が前記薬包４５１ごとに表示されている。具体的に、１包目〜６包目の服用タイミングについて、初回は、１包目〜４包目の服用タイミングが照合ＯＫで５、６包目の服用タイミングが照合ＮＧである。そして、２回目は、５包目の服用タイミングが照合ＯＫで、６包目の服用タイミングが照合ＮＧであり、３回目は、６包目の服用タイミングが照合ＯＫである。また、図３０Ｂに示される前記履歴情報では、前記処方データごとの前記分包処理の各回について、前記分包処理が何回目であるかを示す情報が表示されると共に、前記分包処理の各回についての鑑査結果が前記処方データごとに表示されている。
【００９２】  また、前記通過検出部４７は、前記錠剤カセット４１から前記分包ユニット４５までの錠剤の移動経路、及び前記手撒きユニット４２から前記分包ユニット４５までの錠剤の移動経路において前記錠剤の通過を検出する光学式センサーなどの通過検出センサー４７１〜４７４を含む。そして、前記通過検出センサー４７１〜４７４による錠剤の検出信号は前記制御部４０に入力される。
【００９３】  図３に示されるように、前記通過検出センサー４７１は、前記錠剤カセット４１から払い出される錠剤を検出し、前記通過検出センサー４７２は、前記錠剤カセット４１から前記回転ユニット４４に落下する錠剤を検出する。また、前記通過検出センサー４７３は、前記個別払出部４３から前記回転ユニット４４に落下する錠剤を検出する。また、前記通過検出センサー４７４は、前記回転ユニット４４から前記分包ユニット４５に落下する錠剤を検出する。具体的に、前記制御部４０は、前記処方データに基づく前記分包処理が実行される際に、前記通過検出センサー４７４によって検出される錠剤の数を服用タイミング単位、即ち前記薬包４５１ごとに対応する払出錠剤数として前記記憶部４９に記憶する。
【００９４】  また、前記制御部４０は、例えば前記通過検出部４７による錠剤の検出タイミングに応じて前記撮影部４６により画像を撮影する撮影処理を実行する。具体的に、前記錠剤カセット４１から前記回転ユニット４４に落下する錠剤が前記通過検出部４７によって検出された場合に、その錠剤が前記撮影部４６によって撮影される。前記カメラ４６２及び前記カメラ４６３による撮影は、前記錠剤分包装置４における前記分包処理の実行中に予め設定された撮影間隔（数ｍｓ）で行われる。
【００９５】  一方、前記錠剤分包装置４では、前記手撒きユニット４２への錠剤の手撒き作業が終了した旨を入力するための操作が行われた場合に、前記制御部４０が前記カメラ４６４を用いて前記手撒きユニット４２の画像を撮影する。また、前記手撒きユニット４２が、使用される際に前記錠剤分包装置４から引き出されて、錠剤が撒かれた後に前記錠剤分包装置４に収納される構成である場合には、前記錠剤分包装置４の内部に前記カメラ４６４が設けられており、前記制御部４０が、前記手撒きユニット４２が前記錠剤分包装置４内に収納されたタイミングで前記カメラ４６４により前記手撒きユニット４２の画像を撮影することも考えられる。そして、前記錠剤分包装置４は、前記カメラ４６４により撮影された手撒き画像を、前記処方データを識別するための情報と共に前記サーバー２に送信する。これにより、前記サーバー２では、前記制御部２１によって前記手撒き画像が前記処方データに対応付けて前記記憶部２２に記憶される。なお、前記調剤管理装置２が前記錠剤分包装置４に記憶されている前記手撒き画像を読み出す構成であってもよい。
【００９６】  また、前記制御部４０は、前記カメラ４６２又は前記カメラ４６３によって撮影される錠剤の撮影画像と前記処方データとに基づいて、前記処方データに基づく分包処理の適否を判断する自動鑑査処理を実行することが可能である。特に、前記自動鑑査処理では、前記カメラ４６２又は前記カメラ４６３によって撮影される錠剤の撮影画像と前記処方データとに基づいて、前記処方データに基づく分包処理の適否が前記処方データの単位で判断されると共に、前記服用タイミングごとにも前記分包処理の適否が判断される。ここに、係る自動鑑査処理を実行するときの前記制御部４０が鑑査処理部の一例である。なお、前記自動鑑査処理において、前記分包処理の適否が前記処方データ又は前記服用タイミングのいずれか一方のみの単位で判断されることも他の実施形態として考えられる。
【００９７】  前記自動鑑査処理では、前記錠剤の撮影画像に含まれる前記錠剤の識別情報が、前記処方データに含まれる薬品情報と一致するか否かが判断される。具体的には、前記撮影画像に含まれる前記錠剤の画像と前記処方データに処方薬として含まれる錠剤に対応付けられた正画像とが照合されてもよい。なお、前記正画像は、前記医薬品マスターにおいて前記錠剤の種類ごとに対応して予め登録されている。また、前記自動鑑査処理では、パターンマッチング処理又は文字認証処理などによって前記撮影画像から前記錠剤の識別情報が読み取られ、前記錠剤の識別情報と前記処方データに処方薬として含まれる錠剤の識別情報とが照合されてもよい。
【００９８】  さらに、前記錠剤分包装置４は、前記カメラ４６２及び前記カメラ４６３などの撮影手段に代えて、又は前記撮影手段と共に、前記分包処理の実行前又は実行後の薬品の成分を検出する成分検出部を備えることが考えられる。なお、前記成分検出部は、例えば前記分包処理の実行前又は実行後の薬品に予め設定された波長の光を照射したときの分光特性などに基づいて前記薬品の成分を検出することが可能な定性分析装置である。具体的に、前記定性分析装置は、赤外分光法、粉末Ｘ線解析、質量分析法、又はラマン分光装置などである。この場合、前記制御部４０は、前記自動鑑査処理において、前記成分検出部によって検出される前記薬品の成分に基づいて前記薬品を特定し、前記処方データと照合することが可能である。そして、前記制御部４０は、前記鑑査結果として、前記自動鑑査処理において検出されたスペクトル波形又は前記薬品の成分を前記処方データなどに対応付けて履歴情報として前記記憶部４９に記憶させると共に前記サーバー２に送信する。
【００９９】  前記処方データに基づく前記分包処理において前記照合結果が一致である場合は鑑査結果が適正であると判定され、前記照合結果が不一致である場合は鑑査結果がエラーであると判定される。このように、前記制御部４０は、前記分包処理において錠剤が薬包４５１で分包される前に前記カメラ４６２又は前記カメラ４６３によって撮影される撮影画像と前記処方データとに基づいて、前記分包処理が適正に行われたか否かを鑑査することが可能である。なお、前記制御部４０は、前記鑑査結果の適否を前記処方データの単位及び前記服用タイミングの単位で判断する。
【０１００】  また、前記制御部４０は、前記錠剤の撮影画像から取得した前記錠剤の識別情報を用いて前記自動鑑査処理を実行する場合には、前記カメラ４６２又は前記カメラ４６３によって撮影された前記錠剤の撮影画像のうち前記錠剤から前記識別情報が読み取られたときの元画像を前記自動鑑査処理の結果（一致又はエラー）と共に前記サーバー２に送信する。なお、前記制御部４０は、前記自動鑑査処理において、前記カメラ４６２又は４６３で撮影された撮影画像から前記錠剤の領域を抽出し、その抽出されたトリミング画像に基づいて前記錠剤の識別情報を読み取ることが考えられる。この場合、前記制御部４０は、前記撮影画像に代えて、又は前記撮影画像と共に、前記トリミング画像を前記元画像として前記サーバー２に送信する。
【０１０１】  ところで、前記処方データに処方薬として含まれる前記錠剤が１錠未満の半錠又は１／４錠などである場合には、前記撮影画像に前記錠剤の文字印刷又は刻印が含まれないことがあり、前記撮影画像に基づいて前記自動鑑査処理を行うことが困難である。そのため、前記錠剤分包装置４では、前記錠剤カセット４１又は前記手撒きユニット４２から払い出される前記錠剤が１錠未満の半錠又は１／４錠などである場合には、前記カメラ４６２又は４６３で撮影された撮影画像に基づく前記自動鑑査処理が実行されないことが考えられる。そして、前記制御部４０は、前記処方データに処方薬として含まれる前記錠剤が１錠未満の半錠又は１／４錠などである場合には、当該錠剤の鑑査結果を要チェックとして処理する。
【０１０２】  また、他の実施形態として、前記制御部２１が、前記錠剤が１錠未満である場合でも、前記撮影画像に含まれる前記錠剤の色が、前記医薬品マスターに登録されている前記錠剤の色と一致するか否かを判断することが考えられる。この場合、前記制御部２１は、前記錠剤の色が一致する場合に鑑査結果を要チェックとして処理し、前記錠剤の色が不一致である場合には鑑査結果をエラーとして処理することが考えられる。
【０１０３】  なお、前記自動鑑査処理が実行されない場合でも、前記制御部４０は、前記錠剤カセット４１又は前記手撒きユニット４２から払い出される前記錠剤が１錠未満の半錠又は１／４錠などである場合、前記カメラ４６２又は４６３のいずれかを用いて前記錠剤回転部４４１に載置されている前記錠剤を１枚撮影することが考えられる。このとき、前記制御部４０は前記錠剤回転部４４１を駆動させず、前記錠剤回転部４４１に載置されている前記錠剤は静止状態で撮影される。なお、前記制御部４０は、１錠未満の錠剤の撮影画像も前記処方データに対応付けて前記記憶部４９に記憶すると共に前記サーバー２に送信する。
【０１０４】  同じく、前記処方データに処方薬として含まれる前記錠剤が透明又は半透明のカプセル錠などの予め定められた画像鑑査除外薬品である場合には、そのカプセル錠内に収容されている粉薬又は液薬の偏り等によって、前記撮影画像に前記錠剤の文字印刷又は刻印が明確に現れないことがあり、この場合には、前記撮影画像に基づいて前記自動鑑査処理を行うことが困難である。そのため、前記錠剤分包装置４では、前記錠剤カセット４１又は前記手撒きユニット４２から払い出される前記錠剤が前記画像鑑査除外薬品である場合にも、前記カメラ４６２又は４６３で撮影された撮影画像に基づく前記自動鑑査処理が実行されないことが考えられる。そして、前記制御部４０は、前記処方データに処方薬として含まれる前記錠剤が１錠未満の半錠又は１／４錠などである場合には、当該錠剤の鑑査結果を要チェックとして処理する。
【０１０５】  さらに、前記処方データに処方薬として含まれる前記錠剤が、前記錠剤の前記正画像が前記医薬品マスターに登録されていない未登録薬品である場合には、前記撮影画像に基づいて前記錠剤の適否の鑑査を行うことができない。そのため、前記錠剤分包装置４では、前記分包処理の対象となる前記処方データに含まれる錠剤が前記未登録薬品である場合にも、前記カメラ４６２又は４６３で撮影された撮影画像に基づく自動鑑査処理が実行されないことが考えられる。そして、前記制御部４０は、前記処方データに処方薬として含まれる前記錠剤が前記未登録薬品である場合にも、当該錠剤の鑑査結果を要チェックとして処理する。
【０１０６】  前記回転ユニット４４は、図３及び図４に示すように、６つの錠剤回転部４４１と、ユニット回転部４４２と、薬剤導入部４４３とを備える。前記ユニット回転部４４２は、不図示の基台部により回転可能に支持されている。なお、図４は、前記回転ユニット４４を上方から見た状態を示す模式図である。
【０１０７】  前記錠剤回転部４４１各々は、前記錠剤カセット４１又は前記手撒きユニット４２から供給される１錠の錠剤を回転させることにより前記錠剤の姿勢を変位させることが可能である。前記ユニット回転部４４２には、６つの前記錠剤回転部４４１が所定の回転軸回りに６０°間隔で配置されており、前記ユニット回転部４４２は、前記錠剤回転部４４１を前記所定の回転軸回りに回転させることが可能である。具体的に、前記ユニット回転部４４２は、前記錠剤回転部４４１各々を、前記個別払出部４３からの錠剤の落下位置Ｐ１、前記錠剤カセット４１からの錠剤の落下位置Ｐ２、前記カメラ４６２による撮影可能位置Ｐ３、前記カメラ４６３による撮影可能位置Ｐ４、予備位置Ｐ５、及び前記薬剤導入部４４３への落下位置Ｐ６の６箇所に順に移動させることが可能である。
【０１０８】  そして、前記錠剤分包装置４では、図５Ａに示されるように、前記錠剤カセット４１から払い出された１つの錠剤１７が前記錠剤回転部４４１に落下した場合、又は前記個別払出部４３から払い出された１つの錠剤１７が前記錠剤回転部４４１に落下した場合に、前記ユニット回転部４４２によって前記錠剤回転部４４１が６０°回転される。これにより、前記錠剤カセット４１又は前記手撒きユニット４２から払い出された錠剤各々は、個別に前記錠剤回転部４４１に載置された状態で、前記落下位置Ｐ１又は前記落下位置Ｐ２から前記落下位置Ｐ６に向けて順に移動する。そして、前記撮影可能位置Ｐ３及び前記撮影可能位置Ｐ４では、前記錠剤１７が前記カメラ４６２及び前記カメラ４６３によって撮影される。
【０１０９】  その後、前記錠剤回転部４４１に載置された前記錠剤１７は、前記落下位置Ｐ６から前記薬剤導入部４４３に落下する。前記薬剤導入部４４３は、前記回転ユニット４４から前記分包ユニット４５への落下途中において、服用単位の錠剤を一時的に貯留するために用いられる。そして、前記薬剤導入部４４３では、服用単位の錠剤が貯留された後、底面が開放されて、前記薬剤導入部４４３内に収容されている服用単位の錠剤が前記分包ユニット４５に供給される。
【０１１０】  ところで、図４に示されているように、前記回転ユニット４４の上方には、前記カメラ４６２及び前記カメラ４６３による撮影可能位置において前記錠剤を照明する照明装置４６８及び照明装置４６９が固定されている。前記照明装置４６８及び前記照明装置４６９は、前記カメラ４６２及び前記カメラ４６３により照明環境の異なる画像が撮影されるように、相互に異なる角度又は異なる照度で前記錠剤回転部４４１に光を照射するものである。
【０１１１】  例えば、前記照明装置４６８は、錠剤に刻印によって形成された前記錠剤の識別情報の読み取りに適した照明を行うものであり、例えば前記錠剤の識別情報が鮮明に撮影されるように前記錠剤に対して側方又は斜め上方から光を照射するものであることが考えられる。なお、前記照明装置４６８では、前記錠剤に対して複数の方向から光が照射されてもよい。これは、前記錠剤に形成されている前記錠剤の識別情報が刻印である場合には、前記錠剤の表面に刻印によって凹凸が生じ、前記錠剤の撮影画像における識別情報の写り方が前記凹凸に対する光の照射角度などによって変化することがあるためである。
【０１１２】  また、前記照明装置４６９は、錠剤に印刷によって形成された前記錠剤の識別情報の読み取りに適した照明を行うものであり、例えば前記錠剤の識別情報が鮮明に撮影されるように前記錠剤に対して上方から光を照射するものであることが考えられる。これは、前記錠剤に形成されている前記錠剤の識別情報が印刷である場合には、前記錠剤の表面に塗料又は現像剤などによって前記識別情報が形成されるため、前記錠剤に凹凸が生じず前記錠剤の撮影画像における識別情報の写り方が変化しにくいためである。なお、前記錠剤に形成される文字又は符号などの前記錠剤の識別情報が刻印及び印刷のいずれによって前記錠剤に形成されているかについては前記医薬品マスターなどに予め登録されている。前記医薬品マスターは、前記サーバー２の記憶部２２だけでなく、前記錠剤分包装置４に設けられた記憶部４９にも記憶されている。
【０１１３】  例えば、前記医薬品マスターでは、前記識別情報が刻印である錠剤については刻印フラグが「１」に設定されており、前記識別情報が印刷である錠剤については印刷フラグが「１」に設定されていることが考えられる。なお、前記医薬品マスターにおいて、前記識別情報が刻印である錠剤については刻印フラグが「１」に設定されており、前記識別情報が印刷である錠剤については前記刻印フラグが「０」に設定されていてもよい。そして、前記錠剤分包装置４では、前記カメラ４６２及び前記カメラ４６３による撮影画像のうち錠剤に対する前記錠剤の識別情報の形成方法（刻印又は印刷）に適した撮影画像が前記自動鑑査処理に用いられる。
【０１１４】  なお、前記記憶部４９には、前記サーバー２と同様に、薬品ごとに、薬品コード、薬品名称、ＪＡＮコード、ＲＳＳコード、薬瓶コード、剤形、単位、比重、薬品種、配合変化、賦形薬品、注意事項、アレルギー情報、添付文書情報などの情報が対応付けられた薬品データベースが前記医薬品マスターとは別に記憶されている。特に、前記薬品データベースにおいて、錠剤については、その錠剤に形成されている錠剤の識別情報、錠剤の形状、及び錠剤の外観画像（表面及び裏面）などの情報が記憶されている。なお、前記薬品データベースは、例えば前記錠剤分包装置に設けられる不図示のドライブ装置によってＣＤ又はＤＶＤなどの記録媒体から読み取られ、又は前記通信網Ｎ１を介して前記サーバー２などの外部装置から受信され、前記記憶部４９に記憶される。また、前記制御部４０は、前記通信網Ｎ１を介して、前記サーバー２などの外部装置、又はウェブサイトから前記薬品データベースを必要に応じて読み出すことが可能な構成であってもよい。なお、前記薬品データベースは前記医薬品マスターの更新などに用いられる。
【０１１５】  ここで、図５Ａ及び図５Ｂを参照しつつ、前記錠剤回転部４４１の一例について説明する。図５Ａ及び図５Ｂに示されているように、前記錠剤回転部４４１は、一対の回転ローラー１００と、前記回転ローラー１００各々を個別に支持する一対の支持板１０１と、前記一対の支持板１０１を相互に接近する方向に付勢するスプリング１０２とを備える。また、前記錠剤回転部４４１では、前記支持板１０１各々の両端部からアーム１０３が延在し、その先端部分には相互に噛合するギア１０４が形成されている。これにより、通常の状態では、前記回転ローラー１００各々が相互に接近した状態であり、前記一対の回転ローラー１００によって錠剤１７が支持可能である。一方、前記一対の回転ローラー１００は、前記ギア１０４の回転により同期して接離し、接触又は接近した状態では薬剤１７が回転可能に支持され、離間状態では薬剤１７が前記一対の回転ローラー１００から前記薬剤導入部４４３に向けて落下する。
【０１１６】  また、前記回転ローラー１００各々の回転軸の一端部には従動ギア１００ａがそれぞれ一体化されている。前記従動ギア１００ａ各々には、駆動軸１０５の一端側に一体化した駆動ギア１０６が噛合している。前記駆動軸１０５の他端側には、不図示の従動ローラーが一体化されている。前記従動ローラーは、マグネットギアで構成されている。また、前記回転ユニット４４では、前記カメラ４６２による撮影可能位置Ｐ３又は前記カメラ４６３による撮影可能位置Ｐ４に前記錠剤回転部４４１が移動したときに、前記錠剤回転部４４１の真下であって前記錠剤回転部４４１から離れた位置に、所定の駆動モーターに連結された不図示の連結マグネットギアが設けられている。
【０１１７】  そして、前記錠剤回転部４４１が前記カメラ４６２の撮影可能位置Ｐ３又は前記カメラ４６３の撮影可能位置Ｐ４に移動すると、前記所定の駆動モーターからの駆動力が前記連結マグネットギアを介して前記従動ローラーに伝達される。これにより、前記所定の駆動モーターの駆動力が前記従動ローラー及び前記駆動軸１０５を介して前記一対の回転ローラー１００に伝達され、前記一対の回転ローラー１００が同期して同一方向に回転する。従って、前記一対の回転ローラー１００に前記錠剤１７が載置されている場合には、前記錠剤１７が回転する。従って、前記錠剤回転部４４１では、前記カメラ４６２及び前記カメラ４６３によって撮影される前記錠剤１７の姿勢を変化させることが可能であり、前記錠剤１７の外周面を異なる方向から撮影可能である。即ち、前記錠剤回転部４４１により回転されている前記錠剤１７が前記カメラ４６２及び前記カメラ４６３によって断続的又は連続で撮影されることにより、前記錠剤１７に刻印などで形成された識別情報を含む外周面が撮影可能である。
【０１１８】  なお、ここで説明した前記錠剤回転部４４１の構成は単なる一例に過ぎず、前記錠剤回転部４４１は、前記カメラ４６２及び前記カメラ４６３などによって錠剤の識別情報を読み取ることが可能な画像が撮影可能な状態に錠剤を変位させることが可能な構成であればよい。但し、前記撮影画像において前記錠剤の識別情報が鮮明に表れるような状態で撮影されることが望ましい。また、前記錠剤分包装置４では、錠剤の外周面を異なる方向から撮影することが可能であれば、例えば錠剤が透明な載置板上に載置された状態で前記載置板の表面側及び裏面側から前記錠剤が撮影される構成であってもよい。
【０１１９】  前記分包ユニット４５は、前記錠剤カセット４１及び前記手撒きユニット４２のいずれか一方又は両方から前記回転ユニット４４を経て供給される服用単位の錠剤を薬包４５１で分包することが可能である。ここに、図６は、前記錠剤分包装置４から払い出される前記薬包４５１の一例を示す図である。図６に示されるように、前記薬包４５１各々には、服用単位で複数の錠剤が包装されており、前記薬包４５１各々の間には前記薬包４５１各々を容易に切り離すための切り取り点線（ミシン目）４５２が形成されている。
【０１２０】  また、前記分包ユニット４５には、前記薬包４５１各々に情報を印刷する印刷ユニット４５３が設けられており、前記薬包４５１各々の表面には、前記印刷ユニット４５３によって患者の氏名、服用タイミング（又は服用時期）、処方薬、又は処方量などの情報が印刷可能である。また、前記分包ユニット４５では、一の前記処方データに基づく前記分包処理によって得られる一連の前記薬包４５１の最初又は最後に、当該処方データを識別するための処方ＩＤなどの処方識別情報を示す一次元又は二次元のコード情報が印刷された空の薬包４５１が付加されている。前記コード情報は、前記コード読取部２７及び前記コード読取部３７で読み取り可能である。なお、前記薬包４５１各々に前記コード情報が印刷されてもよい。
【０１２１】［調剤機器５］  前記調剤機器５は、前記錠剤分包装置４と同様に、処方データに基づいて薬剤を調剤する際に用いられる機器である。前記調剤機器５には、前記錠剤分包装置４の他に、例えば散薬分包装置、水剤分注機、シート払出装置、及びピッキング補助装置などが含まれる。前記散薬分包装置は、複数種類の散薬が収容された複数の散薬カセットを有しており、処方データに従って前記散薬カセットに収容されている散薬を自動的に所定量ずつ分包することが可能である。また、前記水剤分注機は、複数種類の水剤が収容された複数の薬瓶を有しており、処方データに従って前記薬瓶から必要量の水剤を払い出す。前記シート払出装置は、処方データに従って、予め錠剤が包装されたＰＴＰシート又はヒートシールが収容された複数のシートカセットから払い出す。前記ピッキング補助装置は、薬剤師が手動で調剤する際に用いられ、薬品棚又は薬瓶などに付された識別情報（バーコードなど）から医薬品名を読み取って、その読み取られた医薬品名と処方データに含まれる医薬品名との照合を行うものである。
【０１２２】  ところで、病院又は薬局などの医療施設では、前記錠剤分包装置４により分包された錠剤が処方データに対応する適切なものであるか否かを確認する鑑査業務が薬剤師によって実施される。これに対し、前記鑑査支援システム１では、後述の鑑査支援処理（図７参照）が実行されることによって薬剤師の鑑査業務が支援される。
【０１２３】［鑑査支援処理］  以下、図７を参照しつつ、前記鑑査支援システム１おいて、前記サーバー２の前記制御部２１により実行される鑑査支援処理の手順の一例について説明する。前記鑑査支援処理は、前記クライアント端末３に対して、予め設定された最終鑑査権限を有する薬剤師による前記サーバー２へのログイン操作が行われた場合、又は前記ログイン操作後に最終鑑査処理を行うための鑑査開始操作が行われた場合などに実行される。なお、前記サーバー２へのログイン認証は、前記記憶部２２に記憶されている前記ユーザーマスターに基づいて行われる。以下で説明する「表示」及び「操作」などは前記ログイン操作が行われた前記クライアント端末３の前記表示部３３及び前記操作部３４を用いて行われる。もちろん、同様の操作及び表示が前記サーバー２で行われてもよい。
【０１２４】＜ステップＳ１１＞  まず、ステップＳ１１において、前記制御部２１は、鑑査対象の候補となる処方データの一覧を表示するための鑑査待ち一覧画面Ｄ１を前記クライアント端末３に表示させる。ここに、図８は、前記鑑査待ち一覧画面Ｄ１の一例を示す図である。
【０１２５】  図８に示されるように、前記鑑査待ち一覧画面Ｄ１には、鑑査対象となる処方データの一覧が表示される一覧表示領域Ａ１１が表示されている。具体的に、前記一覧表示領域Ａ１１には、処方データに含まれる処方ＩＤ（処方識別情報）、患者名（患者識別情報）、服用開始日、及び日数の情報と共に、前記鑑査支援システム１に接続されている前記錠剤分包装置４及び前記調剤機器５などの複数の調剤機器のステータス情報が表示される。
【０１２６】  ここでは、図８に示されているように、前記サーバー２において、前記調剤機器５のうち散薬分包装置が１号機、シート払出装置が３号機として予め登録されると共に、前記錠剤分包装置４が２号機として予め登録されているとする。前記ステータス情報は、「分包完了」、「調剤完了」、「分包中」、「動作中」、「開始待ち」、及び「欠品中」などに予め分類されている。「分包完了」及び「調剤完了」は、薬剤の調剤が完了していることを示しており、背景又は文字が予め定められた青色などの第１特定色で表示される。「分包中」及び「動作中」は、薬剤の調剤が実行中であることを示しており、終了までの待ち時間と共に表示される。「開始待ち」は、薬剤の調剤開始までの待機状態であり、開始までの待ち時間と共に表示される。「欠品中」は、処方データに基づく調剤で使用される薬剤、前記薬包４５１、又は前記インクリボンなどの消耗品が欠品状態であるために調剤が開始できないことを示しており、背景又は文字が予め定められた赤色などの第２特定色で表示される。
【０１２７】  また、前記鑑査待ち一覧画面Ｄ１には、ユーザー操作を受け付けるための操作キーＫ１１〜Ｋ１２等が表示されている。前記操作キーＫ１１は、前記サーバー２における鑑査履歴を表示するための鑑査履歴画面Ｄ２を表示させるための操作キーであり、前記操作キーＫ１２は、前記サーバー２において鑑査処理を実行するための鑑査画面Ｄ３を表示させるための操作部である。即ち、前記制御部２１は、前記鑑査待ち一覧画面Ｄ１における操作に応じて、前記錠剤分包装置４及び前記調剤機器５などの複数の機器で行われた調剤についての鑑査を開始することが可能である。
【０１２８】＜ステップＳ１２＞  ステップＳ１２において、前記制御部２１は、前記鑑査履歴画面Ｄ２の表示操作が行われたか否かを判断する。具体的に、前記制御部２１は、前記鑑査待ち一覧画面Ｄ１における前記操作キーＫ１１が操作された場合に、前記鑑査履歴画面Ｄ２の表示操作が行われたと判断する。そして、前記制御部２１は、前記鑑査履歴画面Ｄ２の表示操作が行われたと判断すると（Ｓ１２：Ｙｅｓ）、処理をステップＳ１３に移行させ、前記鑑査履歴画面Ｄ２の表示操作が行われていなければ（Ｓ１２：Ｎｏ）、処理をステップＳ１４に移行させる。
【０１２９】＜ステップＳ１３＞  ステップＳ１３において、前記制御部２１は、前記鑑査履歴画面Ｄ２を前記クライアント端末３に表示させる。このように、前記制御部２１は、前記鑑査待ち一覧画面Ｄ１におけるユーザー操作に応じて、前記錠剤分包装置４及び前記調剤機器５などの複数の調剤機器で行われた調剤についての鑑査履歴を表示させることが可能である。
【０１３０】  ここに、図９は、前記鑑査履歴画面Ｄ２の一例を示す図である。図９に示されるように、前記鑑査履歴画面Ｄ２には、既に鑑査が完了した処方データの一覧が表示される一覧表示領域Ａ２１が表示されている。前記一覧表示領域Ａ２１には、処方データに含まれる処方ＩＤ（処方識別情報）、患者名（患者識別情報）、服用開始日、鑑査者、及び鑑査日時などの情報が表示される。また、前記一覧表示領域Ａ２１には、前記鑑査支援システム１に接続されている前記錠剤分包装置４及び前記調剤機器５各々で調剤された薬剤の鑑査結果として、判定結果が適正であった旨を示す「ＯＫ」、又は判定結果がエラーである旨を示す「ＮＧ」などが表示される。具体的に、前記錠剤分包装置４に対応する鑑査結果は、前記自動鑑査処理の結果である。なお、「ＯＫ」は、背景又は文字が予め定められた青色などの第３特定色で表示され、「ＮＧ」は、背景又は文字が予め定められた赤色などの第４特定色で表示される。また、「ＮＧ」が表示される場合には、判定結果がエラーであることに対応して行われた処置の内容（例えば「修正済」など）が表示される。
【０１３１】  また、前記鑑査履歴画面Ｄ２には、検索項目として「患者ＩＤ」及び「期間」のいずれかを選択するための操作キーＫ２１、前記操作キーＫ２１で選択された項目の検索内容を入力するための入力欄Ｋ２２、及び検索を実行させるための操作キーＫ２３などが表示されている。前記制御部２１は、前記入力欄Ｋ２２に検索内容が入力され「検索実行」の操作キーが操作されると、前記検索内容に対応する処方データを検索して前記一覧表示領域Ａ２１に表示させる。なお、前記鑑査履歴画面Ｄ２には、前記一覧表示領域Ａ２１に表示された処方データの鑑査履歴の詳細を表示する後述の鑑査画面Ｄ３と同様の鑑査画面を表示させるための操作キーＫ２４が表示されている。
【０１３２】＜ステップＳ１４＞  ステップＳ１４において、前記制御部２１は、前記鑑査開始操作が行われたか否かを判断する。具体的に、前記制御部２１は、前記鑑査待ち一覧画面Ｄ１において、鑑査対象となる前記処方データが選択された状態で前記操作キーＫ１２が操作された場合に、前記鑑査開始操作が行われたと判断する。そして、前記制御部２１は、前記鑑査開始操作が行われたと判断すると（Ｓ１４：Ｙｅｓ）、処理をステップＳ１５に移行させ、前記鑑査開始操作が行われていなければ（Ｓ１４：Ｎｏ）、処理をステップＳ１６に移行させる。なお、前記制御部２１は、例えば前記コード読取部２７により前記薬包４５１に記載されているコード情報が読み取られ、前記コード情報に基づいて前記処方データが特定された場合にも、当該処方データを鑑査対象とする前記鑑査開始操作が行われたと判断する。
【０１３３】＜ステップＳ１５＞  ステップＳ１５において、前記制御部２１は、前記鑑査待ち一覧画面Ｄ１において選択されていた前記処方データについて鑑査を行うための前記鑑査画面Ｄ３を前記クライアント端末３に表示させる。ここに、図１０は、前記鑑査画面Ｄ３の一例を示す図である。図１０に示されるように、前記鑑査画面Ｄ３には、基本情報領域Ａ３１、鑑査結果領域Ａ３２、及び機器情報領域Ａ３３が表示されている。前記基本情報領域Ａ３１には、処方データに含まれる処方ＩＤ（処方識別情報）、患者名（患者識別情報）、性別、年齢、服用日、及び用法などの情報が表示される。
【０１３４】  前記鑑査結果領域Ａ３２には、前記鑑査待ち一覧画面Ｄ１で選択されていた前記処方データの内容及び前記処方データについての鑑査結果などがレコード（Ｒｐ１〜Ｒｐ３）ごとに表示される。具体的に、前記鑑査結果領域Ａ３２には、薬品名、用量、形態、調剤機器の号機番号、用量、及び判定結果が表示される。なお、前記判定結果は、例えば前記錠剤分包装置４で実行される前記自動鑑査処理のように前記錠剤分包装置４及び前記調剤機器５各々において実行される自動鑑査処理における適否の判定結果であり、前記錠剤分包装置４及び前記調剤機器５各々から前記サーバー２に適宜入力される。
【０１３５】  また、前記自動鑑査処理は、前記錠剤分包装置４及び前記調剤機器５から画像などの各種の情報を取得した前記サーバー２の前記制御部２１によって実行されてもよい。具体的に、前記サーバー２において、前記制御部２１は、前記錠剤分包装置４及び前記調剤機器５各々で実行された調剤処理の適否の鑑査結果と、前記処方データの処方ＩＤなどの処方識別情報とが対応付けて前記記憶部２２に記憶させる。
【０１３６】  そして、前記制御部２１は、前記処方データの処方ＩＤに対応付けられた前記錠剤分包装置４及び前記調剤機器５各々の前記鑑査結果を前記鑑査画面Ｄ３の前記鑑査結果領域Ａ３２のように一画面に纏めて表示させることが可能である。これにより、ユーザーは、前記処方データに基づいて調剤を実行する前記錠剤分包装置４などを含む複数の前記調剤機器５の前記鑑査結果を纏めて確認することが可能である。例えば、図１０に示される前記鑑査画面Ｄ３では、Ｒｐ１が前記錠剤分包装置４で調剤される薬品、Ｒｐ２が前記調剤機器５のうち前記散薬分包装置で調剤される薬品、Ｒｐ３が前記調剤機器５のうち前記シート払出装置で調剤される薬品であることが考えられる。
【０１３７】  前記機器情報領域Ａ３３には、前記サーバー２に接続されている前記錠剤分包装置４及び前記調剤機器５における消耗品の残量情報が表示される。前記機器情報領域Ａ３３に表示される前記消耗品の残量情報は、前記錠剤分包装置４及び前記調剤機器５各々から前記サーバー２に適宜入力され、又は前記サーバー２により前記錠剤分包装置４及び前記調剤機器５各々から読み出される。これにより、ユーザーは、前記錠剤分包装置４及び前記調剤機器５における消耗品の残量を容易に確認することができる。例えば、図１０に示す例では、「２号機」の前記錠剤分包装置４の消耗品の情報として、「分包紙」の残量が少なく、「インクリボン」の残量が十分である状態が示されている。同様に、「１号機」の散薬分包装置の消耗品の情報として、「分包紙」の残量が十分であり、「インクリボン」の残量が少ない状態が示されている。このように、前記制御部２１は、前記鑑査画面Ｄ３において、前記錠剤分包装置４及び前記調剤機器５などの複数の調剤機器における消耗品の情報を一覧で表示させることが可能である。従って、ユーザーは、前記鑑査支援システム１の全体の消耗品の管理を容易に行うことができる。これにより、前記消耗品の手配等を漏れなく行うことができ、少人数でも前記錠剤分包装置４及び前記調剤機器５などの複数の調剤機器の連続稼動が可能となる。
【０１３８】＜ステップＳ１６＞  ステップＳ１６において、前記制御部２１は、前記鑑査画面Ｄ３に表示されている判定結果についての詳細を確認するための詳細確認操作が行われたか否かを判断する。具体的に、前記鑑査画面Ｄ３には、前記鑑査画面Ｄ３に表示されている前記処方データに含まれる前記レコードのいずれかに対応する判定結果の表示箇所が選択された場合に、前記詳細確認操作が行われたと判断する。ここで、前記制御部２１は、前記詳細確認操作が行われたと判断すると（Ｓ１６：Ｙｅｓ）、処理をステップＳ１７に移行させ、前記詳細確認操作が行われていなければ（Ｓ１６：Ｎｏ）、処理をステップＳ１８に移行させる。
【０１３９】＜ステップＳ１７＞  ステップＳ１７において、前記制御部２１は、前記鑑査画面Ｄ３に表示されている判定結果についての詳細が表示される鑑査詳細画面Ｄ３０３を表示させる鑑査表示制御処理を実行する。なお、前記鑑査表示制御処理は、前記制御部２１の前記表示処理部２１１によって実行される。
【０１４０】［鑑査表示制御処理］  以下、図１１を参照しつつ、前記制御部２１によって実行される前記鑑査表示制御処理の一例について説明する。
【０１４１】＜ステップＳ３１＞  ステップＳ３１において、前記制御部２１は、現在の鑑査対象の前記処方データについて前記分包処理の一部又は全部が再実行されたか否かを判断する。具体的に、前記制御部２１は、同一の前記処方データについて一部又は全部の前記分包処理の再実行が行われた場合に、その再実行された前記分包処理の鑑査結果を前記処方データに対応付けて記憶させる。例えば、前記制御部２１は、１回目の前記分包処理の実行時の鑑査結果、１回目の前記分包処理の再実行時の鑑査結果、及び２回目の前記分包処理の再実行時の鑑査結果を前記処方データに対応付けて記憶させる。なお、前記処方データに対応付けて記憶されるとは、例えば前記処方データを識別するための処方ＩＤなどの処方識別情報と対応付けて記憶されることをいう。そして、前記制御部２１は、前記処方データに対応付けて前記分包処理の再実行時の鑑査結果が記憶されている場合に、前記処方データについて前記分包処理の再実行が行われたと判断する。なお、同一の前記処方データについて一部又は全部の前記分包処理の再実行が行われた場合に、前記処方データに対応する再実行フラグをオンに設定し、前記再実行フラグを参照して前記処方データについての前記分包処理の再実行の有無を判断してもよい。ここで、前記処方データについて前記再実行が行われたと判断されると（Ｓ３１：Ｙｅｓ）、処理がステップＳ３２に移行し、前記再実行が行われていないと判断されると（Ｓ３１：Ｎｏ）、処理がステップＳ３１１に移行する。
【０１４２】  以下、説明の便宜上、前記処方データについて実行される初回の前記分包処理を第１分包処理と称し、２回目以降の前記分包処理を第２分包処理と称することがある。また、以下では、まず前記鑑査表示制御処理のうち、前記ステップＳ３１で前記処方データについて前記再実行が行われていないと判断された場合（Ｓ３１：Ｎｏ）の処理について説明し、前記ステップＳ３１で前記処方データについて前記再実行が行われていると判断された場合（Ｓ３１：Ｙｅｓ）の処理については後述する。
【０１４３】＜ステップＳ３１１＞  ステップＳ３１１において、前記制御部２１は、現在の鑑査対象の前記処方データについて実行された前記第１分包処理について実行された前記自動鑑査処理の鑑査結果が表示される鑑査詳細画面Ｄ３０３を表示させる。具体的に、前記制御部２１は、前記鑑査結果を前記第１分包処理で撮影された錠剤の撮影画像と共に前記鑑査詳細画面Ｄ３０３に表示させる。
【０１４４】  ここに、図１２Ａ、図１３、及び図１４Ａは、鑑査詳細画面Ｄ３０３を示す図である。具体的に、図１２Ａは、前記自動鑑査処理による鑑査結果が適正である場合の表示例、図１３は、前記自動鑑査処理による鑑査結果がエラーである場合の表示例、図１４Ａは、前記自動鑑査処理による鑑査結果が要チェックである場合の表示例である。
【０１４５】  前記鑑査詳細画面Ｄ３０３には、基本情報領域Ａ３１１、調剤詳細領域Ａ３２２、及び鑑査結果領域Ａ３１３が表示されている。前記基本情報領域Ａ３１１は、前記基本情報領域Ａ３１と同様に、患者情報及び処方データなどが表示される領域である。より具体的に、前記基本情報領域Ａ３１には、前記処方データにおける処方ＩＤ、患者名、及び用法などの処方関連情報が表示されている。なお、前記基本情報領域Ａ３１に前記処方データにおける用量などの他の情報が前記処方関連情報として表示されてもよい。前記調剤詳細領域Ａ３２２では、前記薬包４５１の単位（服用タイミング単位）で前記薬包４５１に分包されている錠剤の内容が予め定められた方向に沿って並べて表示される。
【０１４６】  なお、前記調剤詳細領域Ａ３２２において、前記薬包４５１の包数を示す１包目、２包目、・・・などの包数情報が表示される表示領域Ａ３２０には、前記包数情報都と共に、又は前記包数情報に代えて、服用タイミング（服用日及び服用時期）が表示されることも考えられる。また、前記制御部２１は、前記調剤詳細領域Ａ３２２において錠剤の撮影画像の選択操作に応じて、前記錠剤の複数の撮影画像（例えば表面画像及び裏面画像）を交互に切り替えて表示させることも考えられる。これにより、通常時の表示領域のサイズを抑制しつつ前記錠剤を複数の方向から見た状態を確認することが可能である。
【０１４７】  図１２Ａに示されている前記調剤詳細領域Ａ３２２では、薬品名、種別、結果、及び正画像が表示されている。具体的に、前記種別には、前記薬品名に対応する錠剤が前記錠剤カセット４１及び前記手撒きユニット４２のいずれから払い出されたものであるかが識別可能に表示される。例えば、前記錠剤の払い出し元が前記錠剤カセット４１である場合には「Ｃ」又は「カ」などが識別符号として表示され、前記手撒きユニット（Detachable  Tablet  Adapter）４５である場合には「Ｄ」又は「手」などが識別符号として表示される。また、前記結果には、前記薬品名に対応する錠剤についての鑑査結果が適正であるか否かが個別に表示される。前記正画像は、錠剤の正しい画像として予め前記医薬品マスターなどに登録された登録画像である。例えば、前記医薬品マスターでは、錠剤各々に対応付けてその錠剤の表裏面に対応する２枚の画像が前記登録画像として登録されている。なお、前記登録画像は、前記錠剤の外周面のうち前記錠剤の識別情報を含む領域が撮影された１枚の画像であってもよい。
【０１４８】  また、前記調剤詳細領域Ａ３２２では、錠剤ごとに対応付けて、前記薬包４５１各々に分包される前に前記撮影部４６で撮影された錠剤の撮影画像が分包結果情報として表示されている。なお、前記調剤詳細領域Ａ３２２に表示される前記撮影画像は分包結果情報の一例である。また、前述したように、前記錠剤分包装置４が前記成分検出部を備える場合には、前記成分検出部により検出された検出成分又は薬品名などの検出結果が前記撮影画像に代えて分包結果情報として表示されてもよい。なお、前記撮影画像及び前記検出結果の表示が省略され、処方データごと、薬品ごと、又は服用タイミングごとについての前記自動鑑査処理の鑑査結果のいずれか一つ又は複数のみが分包結果情報として表示されることも他の実施形態として考えられる。また、処方データごと、薬品ごと、又は服用タイミングごとについての前記自動鑑査処理の鑑査結果の表示が省略され、前記撮影画像又は前記検出結果のみが分包結果情報として表示されることも他の実施形態として考えられる。
【０１４９】  ここで、前記制御部２１は、列又は行の一方に錠剤名（薬品名）が表示され他方に分包順番（１包目、２包目・・・）が表示される配置形式で、前記錠剤名及び前記分包順番の組み合わせ各々に対応する前記錠剤の撮影画像を表示させる。なお、図１２Ａに示されている前記調剤詳細領域Ａ３２２では、上下方向に錠剤名が並べて表示され、左右方向に分包順番が表示されている。このように、前記分包順番の並び方向に同じ種類の前記錠剤の撮影画像が並べられるため、薬剤師は、前記錠剤の撮影画像各々の適否を容易に確認することができる。
【０１５０】  また、前記制御部２１は、前記錠剤分包装置４で前記錠剤の識別情報が読み取られた元画像、又は、前記正画像と比較された元画像を少なくとも含み、前記錠剤分包装置４において前記錠剤ごとに撮影された前記錠剤の異なる外周面に対応する複数の撮影画像を前記錠剤ごとに表示させる。これにより、薬剤師は、例えば１枚の前記錠剤の撮影画像だけでは前記錠剤の適否の判断が難しい場合に、複数枚の前記錠剤の撮影画像を参照して適否を判断することが可能である。また、前記調剤詳細領域Ａ３２２では、前記錠剤の正画像及び前記錠剤の撮影画像が並べて表示されるため、薬剤師は、前記錠剤の登録画像と前記錠剤の撮影画像とを見比べることにより前記錠剤の適否を容易に判断することができる。
【０１５１】  例えば、図１２Ａに示されている前記調剤詳細領域Ａ３２２では、１包目の前記薬包４５１に分包されている錠剤の撮影画像として、「トランサミンカプセル２５０ｍｇ」、「セファランチン錠１ｍｇ」、及び「リフレックス錠１５ｍｇ」の３つの錠剤の撮影画像が１枚ずつ表示されている。なお、前記錠剤が平らな錠剤である場合には、前記錠剤の表裏面の２枚の画像が表示され、前記錠剤がカプセル錠などの形状である場合には、前記錠剤の識別情報が含まれる面と前記錠剤の識別情報が含まれない面との２枚の画像が表示されてもよい。
【０１５２】  また、図１３に示されているように、前記調剤詳細領域Ａ３２２では、前記鑑査詳細画面Ｄ３０３に表示されている前記処方データに含まれる薬品の前記自動鑑査処理の結果がエラーである場合、その薬品に対応する一又は複数の領域Ａ３１４及びＡ３１５の背景が予め定められた赤色などの第５特定色で表示される。これにより、ユーザーは、前記領域Ａ３１４及びＡ３１５の位置を確認することにより前記自動鑑査処理の結果がエラーである薬品を容易に把握することができる。
【０１５３】  また、前記鑑査結果領域Ａ３１３には、前記鑑査詳細画面Ｄ３０３に表示されている前記処方データに含まれる全ての薬品についての前記自動鑑査処理の結果が表示される。なお、前記鑑査結果領域Ａ３１３に表示される前記自動鑑査処理の結果は分包結果情報の一例である。具体的に、図１３に示される例では、前記自動鑑査処理の結果がエラーである旨を示す「ＮＧ」が、前記第５特定色とは異なる予め定められた赤色などの第６特定色の背景と共に前記鑑査結果領域Ａ３１３に表示されている。さらに、図１４Ａに示される例では、前記自動鑑査処理の結果が要チェックである旨を示す「ＣＨＥＣＫ」が、前記第５特定色及び前記第６特定色とは異なる予め定められた黄色などの第７特定色の背景と共に前記鑑査結果領域Ａ３１３に表示されている。
【０１５４】  特に、前記調剤詳細領域Ａ３２２では、前記処方データに含まれる前記錠剤ごとについて前記自動鑑査処理の鑑査結果を示す個別結果表示領域Ａ３２３が個別に表示されている。具体的に、図１３に示す例では、「トランサミンカプセル２５０ｍｇ」及び「セファランチン錠１ｍｇ」については、鑑査処理の結果が適正である旨を示す「○」が表示されており、「リフレックス錠１５ｍｇ」については、鑑査処理の結果にエラーが生じている旨を示す「×」が表示されている。これにより、薬剤師は、例えば前記鑑査処理の結果がエラーの原因となった前記錠剤を容易に把握することができる。前記鑑査処理の結果が適正であるか否かを示す情報も分包結果情報の一例である。
【０１５５】  なお、前記調剤詳細領域Ａ３２２に表示されている前記錠剤の撮影画像の選択操作が行われると、前記制御部２１は、図１８Ａ及び図１８Ｂに示すように、前記選択操作の対象である前記錠剤の撮影画像を拡大して拡大画像Ｐ３４３として表示する拡大画面Ｄ３４１を前記クライアント端末３に表示させることが可能である。また、前記拡大画面Ｄ３４１において、前記選択操作の対象である前記錠剤に対応する前記正画像を拡大した拡大画像Ｐ３４２と前記拡大画像Ｐ３４３とが表示されるが、前記拡大画像Ｐ３４３のみが表示されてもよい。
【０１５６】  また、図１２Ａに示されるように、前記自動鑑査処理による鑑査結果が適正である場合、前記鑑査詳細画面Ｄ３０３では、前記鑑査結果領域Ａ３１３に、前記自動鑑査処理の鑑査結果として「承認待ち」が表示される。さらに、前記鑑査詳細画面Ｄ３０３には、表示中の鑑査結果を承認する旨の操作が行われる承認キーＫ３１１が表示されている。
【０１５７】  一方、図１３に示されるように、前記自動鑑査処理による鑑査結果がエラーである場合、前記鑑査詳細画面Ｄ３０３では、前記鑑査結果領域Ａ３１３に、前記自動鑑査処理の鑑査結果としてエラーである旨を示す「ＮＧ」が表示される。
【０１５８】  また、図１４Ａに示されるように、前記自動鑑査処理による鑑査結果が要チェックである場合、前記鑑査詳細画面Ｄ３０３では、前記鑑査結果領域Ａ３１３に、前記自動鑑査処理の鑑査結果として要チェックである旨を示す「ＣＨＥＣＫ」が表示される。
【０１５９】  特に、前記制御部２１は、前記自動鑑査処理において前記錠剤の識別情報が取得できなかった場合、即ち図１４Ｂに示されている錠剤「チックタック」のように前記錠剤に文字印刷又は刻印が存在しない場合には、前記錠剤が収容されている全ての前記薬包４５１について要チェックである旨を表示する。また、前記制御部２１は、前記錠剤が１錠未満の半錠又は１／４錠などである場合、前記錠剤が透明又は半透明のカプセル錠などの予め定められた画像鑑査除外薬品である場合、又は、前記錠剤が前記錠剤の前記正画像が前記医薬品マスターに登録されていない未登録薬品である場合には、前記自動鑑査処理の結果にかかわらず、前記錠剤の鑑査結果を要チェックとして処理することも考えられる。
【０１６０】  なお、前記自動鑑査処理の鑑査結果が要チェックである場合には、図１４Ａ及び図１４Ｂに示されるように前記承認キーＫ３１１の操作が可能であるが、前記自動鑑査処理の鑑査結果がエラーである場合には、図１３に示されるように、前記承認キーＫ３１１がグレーアウトなどにより操作不可となる。
【０１６１】  また、前記鑑査詳細画面Ｄ３０３には、操作キーＫ３１２〜Ｋ３１４が表示されている。前記操作キーＫ３１２は、一又は複数の前記薬包４５１に対応する服用タイミングについて前記分包処理を再実行させるための再分包操作を開始するための操作キーである。前記再発行キーＫ３１２が操作されると、前記制御部２１は、前記分包処理の再実行の方法を設定するための再発行操作画面Ｄ３０４を表示させる。このように、前記鑑査支援システム１では、前記表示処理部２１１によって前記鑑査詳細画面Ｄ３０３に前記処方関連情報及び前記分包結果情報が表示された後、予め定められた再分包操作に応じて一又は複数の前記服用タイミングについて前記分包処理を再実行させることが可能である。ところで、前記鑑査支援システム１では、前記表示処理部２１１によって前記鑑査詳細画面Ｄ３０３に、少なくとも前記分包結果情報が表示された後、予め定められた再分包操作に応じて一又は複数の前記服用タイミングについて前記分包処理を再実行させることが可能な構成を本発明の一実施形態として捉えることも考えられる。なお、前記鑑査詳細画面Ｄ３０３における前記処方関連情報及び前記分包結果情報の表示は一度に同じ画面上に行われている必要はなく、例えば順次表示されること、又はスクロール操作によって表示されることも考えられる。ここに、図１５は、前記再発行操作画面Ｄ３０４の一例を示す図である。
【０１６２】  図１５に示されるように、前記再発行操作画面Ｄ３０４では、前記分包処理の再実行の対象として、「全分包」、「ＣＨＥＣＫ分包のみ」、「ＮＧ分包のみ」、「ＣＨＥＣＫ、ＮＧ分包」、及び「指定包」が選択可能である。「全分包」が選択されると、全ての前記薬包４５１が対象となり、「ＣＨＥＣＫ分包のみ」が選択されると、鑑査結果が要チェックである前記薬包４５１のみが対象となる。また、「ＮＧ分包のみ」が選択されると、鑑査結果がエラーである前記薬包４５１が対象となり、「ＣＨＥＣＫ、ＮＧ分包」が選択されると、鑑査結果がエラーである前記薬包４５１及び要チェックである前記薬包４５１が対象となる。さらに、「指定包」では、再実行の対象となる前記薬包４５１を任意に指定することが可能であり、例えば連続指定又は個別指定が可能である。なお、前記分包処理の再実行の対象となる前記薬包４５１が他の画面で既に指定されている場合には、その指定済みの前記薬包４５１の薬包番号などの識別情報が、前記指定包の入力欄に表示される。
【０１６３】  そして、前記再発行操作画面Ｄ３０４には、再発行の実行を開始させるための再発行キーＫ３１５が表示されており、前記制御部２１は、前記再発行キーＫ３１５の操作に応じて、指定された前記薬包４５１の前記分包処理を再実行させるための前記再実行データ及び前記再実行指示などを含む制御指示を前記錠剤分包装置４に送信する。ここに、係る処理は前記制御部２１の再実行処理部２１３によって実行される。これにより、前記錠剤分包装置４では、前記制御指示に従って前記再発行操作画面Ｄ３０４で指定された前記薬包４５１に対応する服用タイミングについての前記分包処理が再実行される。
【０１６４】  また、図１３の説明に戻り、前記操作キーＫ３１３は、現在表示中の前記処方データに対応する前記手撒き画像が表示される手撒き確認画面Ｄ５を表示させるための操作キーである。なお、前記操作キーＫ３１３は、前記分包処理で前記手撒きユニット４２が使用された場合に操作可能であり、前記分包処理で前記手撒きユニット４２が使用されていない場合にはグレーアウトなどにより操作不可となる。そして、前記制御部２１は、前記操作キーＫ３１３が操作されると、前記手撒き画像が表示される前記手撒き確認画面Ｄ５（図１７参照）を表示させる。これにより、ユーザーは、前記錠剤分包装置４による分包処理の鑑査結果がエラーである場合に、前記錠剤分包装置４における錠剤の払い出しについて前記カメラ４６４で撮影される前記手撒き画像を確認して、そのエラーの原因が前記手撒きユニット４２への錠剤の撒き間違いであるか否かを容易に確認することが可能である。
【０１６５】  ここに、図１７は、前記手撒き確認画面Ｄ５の一例を示す図である。図１７に示されている前記手撒き確認画面Ｄ５には、前記基本情報領域Ａ３１及び前記処方情報領域Ａ３５と共に、手撒きユニット画像領域Ａ５１及び操作説明領域Ａ５２が表示されている。前記手撒きユニット画像領域Ａ５１には、前記カメラ４６４により前記手撒きユニット４２を上方から撮影した前記手撒き画像が表示される。これにより、ユーザーは、前記手撒きユニト４２への錠剤の手撒き直後の状態を確認することができる。なお、前記操作説明領域Ａ５２には、前記手撒きユニット画像領域Ａ５１における操作内容の説明が表示されている。例えば、前記操作説明領域Ａ５２には、ピンチアウト操作によって画像が拡大され、ピンチイン操作によって画像が縮小される旨が指のジェスチャーと画像と共に表示されている。
【０１６６】  また、図１３の説明に戻り、前記操作キーＫ３１４は、前記鑑査詳細画面Ｄ３０３における鑑査結果の一覧表示の表示サイズを変更するための操作部である。そして、前記制御部２１は、前記操作キーＫ３１４の操作によって前記表示サイズが変更されると、前記鑑査詳細画面Ｄ３０３に同時に表示される前記薬包４５１の数を変更する。前記操作キーＫ３１４では、「大」、「中」、「小」、「極小」の４種類の表示サイズが任意に選択可能である。これにより、ユーザーは、前記自動鑑査処理の結果を参照する際に、前記撮影画像各々を拡大して確認すること、又は前記自動鑑査処理の全体の結果を把握することなどの目的に応じた表示態様が選択可能である。
【０１６７】  ところで、前述したように、前記鑑査詳細画面Ｄ３０３において、特定の前記薬包４５１における特定の前記錠剤の撮影画像が選択された場合、前記制御部２１は、前記錠剤に対応する拡大画面Ｄ３４１を表示させる。ここに、図１８Ａ及び図１８Ｂには、拡大画面Ｄ３４１が示されている。図１８Ａ及び図１８Ｂに示されるように、前記拡大画面Ｄ３４１では、正画像に対応する拡大画像Ｐ３４２と、選択中の前記錠剤に対応する前記撮影画像の拡大画像Ｐ３４３とが並べて表示されている。なお、前記制御部２１は、前記撮影画像のうち前記自動鑑査処理の鑑査結果がエラー又は要チェックである錠剤の撮影画像のみについて前記拡大画面Ｄ３４を表示させるものであってもよいが、全ての錠剤の撮影画像について前記拡大画面Ｄ３４を表示可能であってもよい。
【０１６８】  また、前記制御部２１は、前記拡大画面Ｄ３４１に表示される前記拡大画像Ｐ３４３を、例えば図１８Ａ及び図１８Ｂに示すように、前記錠剤に対応する複数の前記撮影画像を所定間隔で順に切り替えて表示することが可能である。より具体的に、前記制御部２１は、前記拡大画面Ｄ３４１が表示されると、前記拡大画像Ｐ３４３の切り替えを開始する。これにより、ユーザーは、前記錠剤の外周を異なる角度から撮影した複数の前記撮影画像を参照して前記錠剤の適否を判断することが可能である。
【０１６９】  そして、前記拡大画面Ｄ３４１には、操作キーＫ３６１〜Ｋ３６４が表示されている。前記制御部２１は、前記操作キーＫ３６１が操作されると、前記拡大画像Ｐ３４３の自動切替を一時停止させ、前記操作キーＫ３６１が再度操作されると前記拡大画像Ｐ３４３の自動切替を再開する。なお、前記制御部２１は、前記拡大画面Ｄ３４１の表示後、前記操作キーＫ３６１が操作されることにより前記拡大画像Ｐ３４３の自動切替を開始することも考えられる。
【０１７０】  また、前記制御部２１は、表示中の錠剤の前記自動鑑査処理の鑑査結果が要チェック又はエラーである場合に前記操作キーＫ３６２が操作されると、目視確認によって適正であると判断された旨をその錠剤の鑑査結果として記録する。さらに、前記制御部２１は、前記操作キーＫ３６３が操作されると、表示中の錠剤が収容されている前記薬包４５１を前記再発行の対象として選択して記録する。ここで、前記再発行の対象として選択された前記錠剤又は前記薬包４５１については、図１３に示されるように、前記鑑査詳細画面Ｄ３０３において、前記再発行の対象である旨を示す文字又は図柄などの付加情報Ａ３２４が対応付けて表示されることが考えられる。
【０１７１】  また、前記制御部２１は、前記操作キーＫ３６４が操作されると、表示中の前記錠剤を含む前記薬包４５１に収容されている錠剤を手動で入れ替えるなどの処置が実行される旨を記録する。この場合も、前記手動による処置が実行される対象として選択された前記錠剤については、図１４Ａに示されるように、前記鑑査詳細画面Ｄ３０３において前記手動による処置の対象である旨を示す文字又は図柄などの付加情報Ａ３２５が対応付けて表示されることが考えられる。なお、前記操作キーＫ３６２〜Ｋ３６４はいずれか一つのみが選択状態となる操作キーであり、いずれか一つが選択されると残りの二つは非選択状態となる。
【０１７２】  なお、前記ユーザーマスターでは、ユーザー又はユーザーグループに対応する前記処理権限として、前記拡大画面Ｄ３４１における処理権限が設定されていることが考えられる。なお、前記ユーザーグループ各々は、一又は複数のユーザーを例えば、一般薬剤師、管理薬剤師、及びテクニシャンなどに分類するために用いられ、前記処理権限は、前記ユーザーグループごとに設定されている。具体的に、前記ユーザーマスターでは、前記操作キーＫ３６２〜Ｋ３６４各々の操作の可否がユーザーごと又はユーザーグループごとに設定されていることが考えられる。そして、前記制御部２１は、現在ログイン中のユーザーに対応する処理権限に応じて、前記操作キーＫ３６２〜Ｋ３６４の有効及び無効を切り替える。これにより、ユーザー又はユーザーグループごとに前記鑑査結果について処理可能な内容を管理することが可能である。
【０１７３】  ところで、図１３及び図１４Ａに示されるように、前記自動鑑査処理の鑑査結果にエラー又は要チェックが含まれる場合、前記制御部２１は、前記自動鑑査処理の鑑査結果がＯＫである錠剤とエラー又は要チェックである錠剤とを共に前記鑑査詳細画面Ｄ３０３に表示させる。なお、前記自動鑑査処理の鑑査結果としてエラーの錠剤が含まれる場合には、図１３に示されるように、前記鑑査結果領域Ａ３１３に「ＮＧ」が表示される。また、前記自動鑑査処理の鑑査結果としてエラーの錠剤が含まれておらず要チェックの錠剤が含まれている場合には、図１４Ａに示されるように、前記鑑査結果領域Ａ３１３に「ＣＨＥＣＫ」が表示される。また、前記鑑査結果がエラーの錠剤に対応する前記個別結果表示領域Ａ３２３には、図１３に示されるように、エラーである旨を示す「×」のマークが表示され、前記鑑査結果が適正である錠剤に対応する前記個別結果表示領域Ａ３２３には、図１２Ａに示されるように、適正である旨を示す「○」のマークが表示される。なお、図１４Ａに示されるように、前記鑑査結果が要チェックの錠剤に対応する前記個別結果表示領域Ａ３２３には、要チェックである旨を示す「△」のマークが表示される。
【０１７４】  一方、前記制御部２１は、前記錠剤分包装置４で前記通過検出センサー４７４により前記服用タイミングごとに対応する錠剤数がカウントされている場合には、その錠剤数を前記鑑査詳細画面Ｄ３０３に表示させることも考えられる。これにより、ユーザーは、前記錠剤数に問題ないことを容易に把握することが可能である。ところで、前記錠剤分包装置４が、前記分包ユニット４５における前記錠剤の分包後の前記薬包４５１を撮影する撮影部を備えている場合には、前記制御部２１が、そのカメラによって撮影された分包後の撮影画像を前記詳細画面Ｄ３０３に表示させることも考えられる。
【０１７５】＜ステップＳ３９＞  その後、ステップＳ３９において、前記制御部２１は、前記錠剤分包装置４に前記分包処理の一部又は全部を再実行させるための再実行制御処理を実行する。ここに、図１９は、前記再実行制御処理の一例を示す図である。
【０１７６】［再実行制御処理］  ここで、図１９を参照しつつ、前記制御部２１によって実行される前記再実行制御処理について説明する。
【０１７７】＜ステップＳ５１〜Ｓ６０＞  ステップＳ５１〜Ｓ６０では、前記処方データついて前記錠剤分包装置４で実行された前記分包処理の一部又は全部を再実行させるための処理が実行される。ここでは前記分包処理を実行した前記錠剤分包装置４で前記分包処理が再実行される場合について説明する。一方、前記制御部２１は、ユーザー操作に応じて又は自動的に、前記処方データについて前記分包処理を実行した前記錠剤分包装置４とは異なる錠剤分包装置４に一又は複数の服用タイミングについての分包処理を再実行させることも考えられる。これにより、異なる錠剤分包装置４で前記分包処理が再実行されることになるため、前記分包処理におけるエラー又は要チェックの発生が回避されることがある。なお、前記制御部４０は、前記錠剤分包装置４におけるユーザー操作に応じて前記分包処理の一部又は全部の再実行を実行してもよい。この場合、前記鑑査詳細画面Ｄ３０３及び前記再発行操作画面Ｄ３０４も前記錠剤分包装置４の操作表示部４８に表示され、前記制御部４０は、前記操作表示部４８に対するユーザーの再分包操作に応じて一又は複数の服用タイミングについての分包処理を再実行する。
【０１７８】＜ステップＳ５１＞  ステップＳ５１において、前記制御部２１は、前記再発行操作画面Ｄ３０４において全再発行操作が行われたか否かを判断する。より具体的に、前記制御部２１は、前記再発行操作画面Ｄ３０４において「全分包」が選択されて操作キーＫ３１５が操作された場合に、前記全再発行操作が行われたと判断する。ここで、前記制御部２１は、前記全再発行操作が行われたと判断すると（Ｓ５１：Ｙｅｓ）、処理をステップＳ５２に移行させ、前記全再発行操作が行われていなければ（Ｓ５１：Ｎｏ）、処理をステップＳ５３に移行させる。
【０１７９】＜ステップＳ５２＞  ステップＳ５２において、前記制御部２１は、現在の鑑査対象である前記処方データに対応する前記分包処理を全て再実行させるための制御指示を、前記分包処理を実行した前記錠剤分包装置４に送信する再発行処理を実行する。例えば、前記制御指示として、前記処方データが前記錠剤分包装置４に再入力される。これにより、前記錠剤分包装置４では、前記制御部４０が、前記第２分包処理として、前記処方データに対応する全ての前記服用タイミングについての分包処理を再実行する。
【０１８０】  そして、前記錠剤分包装置４の前記制御部４０は、前述したように、前記第２撮影ステップ及び前記第２記憶ステップを実行する。即ち、前記制御部４０は、前記処方データについて再実行される分包処理である前記第２分包処理において、前記カメラ４６２又は４６３を用いて分包対象の錠剤各々の第２撮影画像を撮影し、前記処方データに対応付けて記憶する。特に、前記制御部４０は、前述したように、前記分包処理のうち前記服用タイミング各々に対応する前記第２撮影画像を前記服用タイミング各々に対応付けて記憶させる。また、前記制御部４０は、前記第２撮影画像と前記処方データとに基づいて前記服用タイミング各々に対応する前記分包処理の適否を判断する自動鑑査処理を実行し、その自動鑑査処理の鑑査結果を前記処方データに対応付けて記憶する。特に、前記制御部４０は、前記服用タイミングごとの前記自動鑑査処理の鑑査結果を前記服用タイミング各々に対応付けて記憶する。さらに、前記制御部４０は、前記第１分包処理と一又は複数の前記第２分包処理とによって前記処方データに基づく前記分包処理が全て正常に実行されたか否かも判断し、その判断結果を前記処方データの全体についての前記自動鑑査処理の鑑査結果として前記処方データに対応付けて記憶させる。
【０１８１】＜ステップＳ５３＞  ステップＳ５３において、前記制御部２１は、前記再発行操作画面Ｄ３０４において要チェック包のみの再発行操作が行われたか否かを判断する。より具体的に、前記制御部２１は、前記再発行操作画面Ｄ３０４において「ＣＨＥＣＫ分包のみ」が選択されて操作キーＫ３１５が操作された場合に、要チェック包のみの再発行操作が行われたと判断する。ここで、前記制御部２１は、前記要チェック包のみの再発行操作が行われたと判断すると（Ｓ５３：Ｙｅｓ）、処理をステップＳ５４に移行させ、前記要チェック包のみの再発行操作が行われていなければ（Ｓ５３：Ｎｏ）、処理をステップＳ５５に移行させる。
【０１８２】＜ステップＳ５４＞  ステップＳ５４において、前記制御部２１は、現在の鑑査対象である前記処方データに対応する前記分包処理のうち要チェックが発生している服用タイミングに対応する分包処理のみを再実行させるための制御指示を前記錠剤分包装置４に送信する再発行処理を実行する。これにより、前記錠剤分包装置４では、前記制御部４０が、前記第２分包処理として、前記要チェックが発生している一部の前記服用タイミングについての分包処理のみを再実行する。
【０１８３】  そして、前記錠剤分包装置４の前記制御部４０は、前記第２撮影ステップ及び前記第２記憶ステップを実行する。即ち、前記制御部４０は、前記処方データについて再実行される一部の前記服用タイミングについての分包処理である前記第２分包処理において、前記カメラ４６２又は４６３を用いて分包対象の錠剤各々の第２撮影画像を撮影し、前記処方データに対応付けて記憶する。特に、前記制御部４０は、前述したように、前記分包処理のうち前記服用タイミング各々に対応する前記第２撮影画像を前記服用タイミング各々に対応付けて記憶させる。また、前記制御部４０は、前記第２撮影画像と前記処方データとに基づいて前記服用タイミング各々に対応する前記分包処理の適否を判断する自動鑑査処理を実行し、その自動鑑査処理の鑑査結果を前記処方データに対応付けて記憶する。特に、前記制御部４０は、前記服用タイミングごとの前記自動鑑査処理の鑑査結果を前記服用タイミング各々に対応付けて記憶する。さらに、前記制御部４０は、前記第１分包処理と一又は複数の前記第２分包処理とによって前記処方データに基づく前記分包処理が全て正常に実行されたか否かも判断し、その判断結果を前記処方データの全体についての前記自動鑑査処理の鑑査結果として前記処方データに対応付けて記憶させる。以下、ステップＳ５６、Ｓ５８、Ｓ６０における再発行処理が実行された場合にも前記錠剤分包装置４では前記制御部４０によって同様の処理が実行される。
【０１８４】＜ステップＳ５５＞  ステップＳ５５において、前記制御部２１は、前記再発行操作画面Ｄ３０４においてＮＧ包のみの再発行操作が行われたか否かを判断する。より具体的に、前記制御部２１は、前記再発行操作画面Ｄ３０４において「ＮＧ分包のみ」が選択されて操作キーＫ３１５が操作された場合に、ＮＧ包のみの再発行操作が行われたと判断する。ここで、前記制御部２１は、前記ＮＧ包のみの再発行操作が行われたと判断すると（Ｓ５５：Ｙｅｓ）、処理をステップＳ５６に移行させ、前記ＮＧ包のみの再発行操作が行われていなければ（Ｓ５５：Ｎｏ）、処理をステップＳ５７に移行させる。
【０１８５】＜ステップＳ５６＞  ステップＳ５６において、前記制御部２１は、現在の鑑査対象である前記処方データに対応する調剤のうちエラーが発生している服用タイミングの前記分包処理のみを再実行させるための制御指示を前記錠剤分包装置４に送信する再発行処理を実行する。これにより、前記錠剤分包装置４では、前記制御部４０が、前記第２分包処理として、前記エラーが発生している一部の前記服用タイミングについての前記分包処理のみを再実行する。
【０１８６】＜ステップＳ５７＞  ステップＳ５７において、前記制御部２１は、前記再発行操作画面Ｄ３０４においてＮＧ包及び要チェック包の再発行操作が行われたか否かを判断する。より具体的に、前記制御部２１は、前記再発行操作画面Ｄ３０４において「ＣＨＥＣＫ、ＮＧ分包」が選択されて操作キーＫ３１５が操作された場合に、ＮＧ包及び要チェック包のみの再発行操作が行われたと判断する。ここで、前記制御部２１は、前記ＮＧ包及び要チェック包の再発行操作が行われたと判断すると（Ｓ５７：Ｙｅｓ）、処理をステップＳ５８に移行させ、前記ＮＧ包及び要チェック包の再発行操作が行われていなければ（Ｓ５７：Ｎｏ）、処理をステップＳ５９に移行させる。
【０１８７】＜ステップＳ５８＞  ステップＳ５８において、前記制御部２１は、現在の鑑査対象である前記処方データに対応する調剤のうちエラー又は要チェックが発生している服用タイミングの前記分包処理のみを再実行させるための制御指示を前記錠剤分包装置４に送信する再発行処理を実行する。これにより、前記錠剤分包装置４では、前記制御部４０が、前記第２分包処理として、前記エラー又は前記要チェックが発生している一部の前記服用タイミングについての前記分包処理のみを再実行する。
【０１８８】  なお、前記制御部２１は、前記錠剤分包装置４で既に前記分包処理が再実行された処方データについて、その後に各種の前記再発行操作が行われた場合には、前記処方データについての前記分包処理が既に再実行された旨を前記表示部２４等への表示によってユーザーに通知することが考えられる。また、前記制御部２１は、前記分包処理の再実行の制御指示を送信しないことが考えられる。一方、前記制御部２１は、前記分包処理が再実行されている旨を前記表示部２４等に表示してユーザーに通知した後、ユーザーによる再実行継続操作が行われた場合、前記再発行操作に対応する前記分包処理を再実行させるための制御指示を前記錠剤分包装置４に送信してもよい。
【０１８９】＜ステップＳ５９＞  ステップＳ５９において、前記制御部２１は、前記再発行操作画面Ｄ３０４において指定包のみの再発行操作が行われたか否かを判断する。より具体的に、前記制御部２１は、前記再発行操作画面Ｄ３０４において「指定包」が選択されて操作キーＫ３１５が操作された場合に、指定包のみの再発行操作が行われたと判断する。ここで、前記制御部２１は、前記指定包のみの再発行操作が行われたと判断すると（Ｓ５９：Ｙｅｓ）、処理をステップＳ４０に移行させ、前記指定包のみの再発行操作が行われていなければ（Ｓ５９：Ｎｏ）、処理をステップＳ６０に移行させる。
【０１９０】＜ステップＳ６０＞  ステップＳ６０において、前記制御部２１は、現在の鑑査対象の前記処方データに対応する前記分包処理のうち前記再発行操作画面Ｄ３０４において指定されている服用タイミングの分包処理のみを再実行させるための制御指示を前記錠剤分包装置４に送信する再発行処理を実行する。これにより、前記錠剤分包装置４では、前記制御部４０が、前記第２分包処理として、前記再発行操作画面Ｄ３０４で指定されている前記服用タイミングについての前記分包処理のみを再実行する。
【０１９１】＜ステップＳ１８＞  図７の説明に戻り、ステップＳ１８において、前記制御部２１は、前記処方データについての前記自動鑑査処理の結果の承認操作が行われたか否かを判断する。具体的に、前記制御部２１は、前記鑑査詳細画面Ｄ３０３において前記承認キーＫ３１１が操作されたか否かを判断する。ここで、前記制御部２１は、前記承認操作が行われたと判断すると（Ｓ１８：Ｙｅｓ）、処理をステップ１９に移行させ、前記承認操作が行われていなければ（Ｓ１９：Ｎｏ）、処理をステップＳ２０に移行させる。
【０１９２】＜ステップＳ１９＞  ステップＳ１９において、前記制御部２１は、前記処方データの前記自動鑑査処理の結果を承認するための承認処理を実行する。例えば、前記承認処理において、前記制御部２１は、前記処方データの前記自動鑑査処理の結果が承認された旨と、その承認操作を行った薬剤師であるユーザーの識別情報（氏名又はＩＤ）とを、前記自動鑑査処理の結果と共に前記処方データに対応付けて前記記憶部２２に記憶させる。
【０１９３】  具体的に、前記制御部２１は、前記鑑査詳細画面Ｄ３０３において前記承認キーＫ３１１が操作されると、前記自動鑑査処理の鑑査結果の承認を受け付けて前記処方データに対応付けて記憶する。また、前記制御部２１は、図１２Ｂに示されるように、前記鑑査詳細画面Ｄ３０３における前記鑑査結果領域Ａ３１３に、前記自動鑑査処理の鑑査結果として「承認ＯＫ」を表示させる。
【０１９４】＜ステップＳ２０＞  ステップＳ２０において、前記制御部２１は、当該鑑査支援処理を終了するための予め設定された鑑査終了操作が行われたか否かを判断する。例えば、前記制御部２１は、前記鑑査待ち一覧画面Ｄ１における「終了」に対応する操作キーが操作された場合に、前記鑑査終了操作が行われたと判断する。ここで、前記制御部２１は、前記鑑査終了操作が行われたと判断すると（Ｓ２０：Ｙｅｓ）、当該鑑査支援処理を終了させ、前記鑑査終了操作が行われていなければ（Ｓ２０：Ｎｏ）、処理を前記ステップＳ１２に戻す。
【０１９５】  ところで、このように構成された前記鑑査支援システム１では、前記分包処理の再実行により同一の前記処方データについて複数の前記分包処理が実行されることがある。これに対し、本実施形態に係る前記鑑査支援システム１では、薬剤師が前記錠剤分包装置４で実行される複数回の分包処理を考慮した最終的な分包結果の適否を容易に確認することが可能であり、薬剤師による鑑査業務を支援することができる。
【０１９６】  以下、図１１に示された前記鑑査表示制御処理において、前記処方データについて前記再実行が行われていると判断された場合（Ｓ３１：Ｙｅｓ）に実行されるステップＳ３２〜Ｓ３８の処理について説明する。なお、前述したように、同一の前記処方データについて実行される初回の前記分包処理を第１分包処理と称し、２回目以降の前記分包処理を第２分包処理と称することがある。また、前記第１分包処理で撮影された錠剤の画像を第１撮影画像と称し、前記第２分包処理で撮影された錠剤の画像を第２撮影画像と称することがある。
【０１９７】＜ステップＳ３２＞  ステップＳ３２において、前記制御部２１は、前記第１分包処理で撮影された前記第１撮影画像と、前記第２分包処理で撮影された前記第２撮影画像とを合成した合成表示状態で前記鑑査詳細画面Ｄ３０３を表示させる。特に、前記制御部２１は、前記鑑査詳細画面Ｄ３０３において、前記第１撮影画像及び前記第２撮影画像を識別可能な態様で表示させる。即ち、前記制御部２１は、前記第１分包処理で得られる分包後の前記薬包４５１のうち前記第２分包処理で得られる分包後の前記薬包４５１と入れ替える対象を前記表示態様の違いによってユーザーに報知する。例えば、前記第１撮影画像の背景が予め定められた第１背景色で表示され、前記第２撮影画像の背景が予め定められた第２背景色で表示される。また、同一服用タイミングについて前記第２撮影画像が複数存在する場合には、前記第２撮影画像各々が背景色の違いなどにより識別可能な状態で表示される。
【０１９８】  具体的に、前記制御部２１は、前記合成表示状態の前記鑑査詳細画面Ｄ３０３において、前記処方データに含まれる前記服用タイミングのうち前記第２撮影画像が存在する服用タイミングについては前記第２撮影画像を表示させる。また、前記制御部２１は、前記合成表示状態の前記鑑査詳細画面Ｄ３０３において、前記処方データに含まれる前記服用タイミングのうち前記第２撮影画像が存在しない服用タイミングについては前記第１撮影画像を表示させる。即ち、前記制御部２１は、後で実行された分包処理で撮影された撮影画像を優先して表示させる。これにより、前記制御部２１は、前記服用タイミングごとに前記第１撮影画像又は前記第２撮影画像のいずれか一方のみを表示させることになる。なお、前記服用タイミングごとに前記第１撮影画像及び前記第２撮影画像が選択的に表示される構成は一例に過ぎず、前記第１分包処理で撮影された前記第１撮影画像と前記第２分包処理で撮影された前記第２撮影画像とを合成して表示する手法としては、例えば前記服用タイミングごとに前記第１撮影画像及び前記第２撮影画像の両方が同時に表示されてもよい。
【０１９９】  ここに、図２０は、前記第１分包処理の分包結果として前記第１撮影画像のみが表示された第１表示状態の前記鑑査詳細画面Ｄ３０３の一例を示す図である。また、図２１は、前記ステップＳ３２で表示される前記合成表示状態の前記鑑査詳細画面Ｄ３０３の一例を示す図である。さらに、図２２は、前記第２分包処理の分包結果として前記第２撮影画像のみが表示された第２表示状態の前記鑑査詳細画面Ｄ３０３の一例を示す図である。
【０２００】  ここでは、図２０に示されるように、前記第１分包処理において、１包目〜６包目のうち３包目及び６包目に対応する服用タイミングの鑑査結果にエラーが生じており、３包目及び６包目に対応する服用タイミングを指定して前記第２分包処理が正常に実行された場合を例に挙げつつ説明する。即ち、３包目及び６包目について実行された前記第２分包処理ではエラーが生じなかったものとする。
【０２０１】  この場合、図２１に示されるように、前記合成表示状態の前記鑑査詳細画面Ｄ３０３では、前記処方データに含まれる前記服用タイミングのうち前記第２撮影画像が存在する３包目及び６包目の服用タイミングについては前記第２撮影画像が表示されており、前記第２撮影画像が存在しない１包目、２包目、４包目、及び５包目の服用タイミングについては前記第１撮影画像が表示されている。また、前記結果表示領域Ａ３１３には、前記第１分包処理及び前記第２分包処理によって１包目〜６包目までが正常に行われた旨を示す「承認待ち」の文字が表示されている。
【０２０２】  これにより、ユーザーは、前記合成表示状態の前記鑑査詳細画面Ｄ３０３を参照することにより、前記第１分包処理及び前記第２分包処理によって１包目〜６包目までが正常に行われた旨、即ち最終的な分包結果が適正である旨を容易に確認することが可能である。また、前記鑑査詳細画面Ｄ３０３には、前記服用タイミング各々に対応する前記第１分包処理又は前記第２分包処理が正常に行われた場合に撮影された前記第１撮影画像及び前記第２撮影画像が表示されているため、前記処方データに基づく分包処理の最終的な分包結果となる前記薬包４５１各々の状態を容易に把握することが可能である。
【０２０３】  ところで、図２１に示されるように、前記合成表示状態で前記鑑査詳細画面Ｄ３０３が表示される場合、前記制御部２１は、前記コード読取部２７で読み取られるコード情報に基づいて、前記第１分包処理及び前記第２分包処理各々における分包結果として得られている前記薬包４５１の適否を判定する処理を実行することが考えられる。具体的に、前記制御部２１は、前記鑑査詳細画面Ｄ３０３の表示開始時は、前記操作キーＫ３１１をグレーアウト表示させる。そして、前記制御部２１は、前記サーバー２の前記コード読取部２７又は前記クライアント端末３の前記コード読取部３７などを用いて前記薬包４５１から読み取られた前記コード情報が適正である場合に、前記レコードの調剤結果を「修正済」に変更する。これにより、前記鑑査履歴画面Ｄ２が表示される際、前記レコードについては「ＮＧ→修正済」と表示される。
【０２０４】  例えば、前記制御部２１は、前記処方データについて前記第１撮影画像及び前記第２撮影画像が合成して前記鑑査詳細画面Ｄ３０３に表示される場合、即ち前記処方データについて前記第１分包処理及び前記第２分包処理が実行されている場合、図１６に示されているように、前記第２分包処理で得られた前記薬包４５１に記載されているコード情報（一次元コード又は二次元コード）などの読み取りを促す照合画面Ｄ３２を表示させることが考えられる。その後、現在の鑑査対象の前記処方データに基づく前記第２分包処理各々で得られた前記薬包４５１に付されている空の薬包４５１から当該処方データに対応するコード情報が読み取られた場合に、鑑査結果が適正である旨を示す「承認待ち」の文字を前記結果表示領域Ａ３１３に表示させる。これにより、前記第２分包処理で得られた前記薬包４５１が揃っている状況が担保される。また、前記第１分包処理で得られた前記薬包４５１に付されている空の薬包４５１からも前記コード情報が読み取られて照合されることも考えられる。さらに、前記制御部２１は、前記第２分包処理で得られた前記薬包４５１から前記コード情報が読み取られた場合に、前記第１分包処理で得られた前記薬包４５１のうち前記第２分包処理で得られた前記薬包４５１と入れ替える位置を示すメッセージ等をユーザーに報知してもよい。
【０２０５】  また、前記鑑査詳細画面Ｄ３０３において、前記第１撮影画像及び前記第２撮影画像が識別可能な態様で表示されるため、ユーザーは、前記第１分包処理で得られた前記薬包４５１のうち前記第２分包処理で得られた前記薬包４５１と入れ替える対象となる薬包４５１を容易に特定することが可能である。なお、前記制御部２１が、前記第１分包処理で得られる分包後の前記薬包４５１のうち前記第２分包処理で得られる分包後の前記薬包４５１と入れ替える対象を通知するメッセージを表示させてユーザーに報知することも考えられる。
【０２０６】  なお、前記第２分包処理が前記第１分包処理の全てを再実行するものである場合、前記制御部２１は、前記服用タイミング各々について、前記第１撮影画像及び前記第２撮影画像のうち前記自動鑑査処理の結果が適正と判断されたときの前記第１撮影画像又は前記第２撮影画像を優先して表示させることも考えられる。これにより、例えば前記第１分包処理に対応する前記自動鑑査処理の鑑査結果が正常であった画像と、前記第２分包処理に対応する前記自動鑑査処理の鑑査結果が正常であった画像とが組み合わせられて表示されることになる。
【０２０７】＜ステップＳ３３＞  次に、ステップＳ３３において、前記制御部２１は、前記第１表示状態で前記鑑査詳細画面Ｄ３０３を表示させるための表示要求操作が行われたか否かを判断する。具体的に、前記鑑査詳細画面Ｄ３０３には、前記第１表示状態で前記鑑査詳細画面Ｄ３０３を表示させるための操作に用いられる操作キーＫ４１が表示されている。そして、前記制御部２１は、前記ステップＳ３３において、前記操作キーＫ４１が操作された場合に、前記第１表示状態で前記鑑査詳細画面Ｄ３０３を表示させるための表示要求操作が行われたと判断する。ここで、前記第１表示状態で前記鑑査詳細画面Ｄ３０３を表示させるための表示要求操作が行われたと判断されると（Ｓ３３：Ｙｅｓ）、処理がステップＳ３４に移行し、前記第１表示状態で前記鑑査詳細画面Ｄ３０３を表示させるための表示要求操作が行われていないと判断されると（Ｓ３３：Ｎｏ）、処理がステップＳ３５に移行する。
【０２０８】＜ステップＳ３４＞  ステップＳ３４において、前記制御部２１は、前記第１分包処理で撮影された前記第１撮影画像のみが表示される前記第１表示状態で前記鑑査詳細画面Ｄ３０３を表示させる。具体的には、図２０に示されるように、前記１表示状態の前記鑑査詳細画面Ｄ３０３では、前記処方データに含まれる前記服用タイミングのうち前記第１撮影画像が表示されており、前記結果表示領域Ａ３１３には、前記第１分包処理の鑑査結果がエラーである旨を示す「ＮＧ」の文字が表示されている。即ち、前記制御部２１は、前記結果表示領域Ａ３１３に、前記処方データについての前記分包処理の全体の適否が判断された鑑査結果を表示させる。
【０２０９】  また、前記制御部２１は、前記第１分包処理のうち前記自動鑑査処理の鑑査結果が適正でない服用タイミングに対応する前記領域Ａ３１５各々を、前記鑑査結果がエラーである旨を示す前記第５特定色で表示する。即ち、前記制御部２１は、前記結果表示領域Ａ３１３に、前記処方データについての前記分包処理の服用タイミングごとの適否が判断された鑑査結果を表示させる。なお、前記服用タイミングに対応する前記表示領域Ａ３２０が、前記鑑査結果がエラーである旨を示す前記第５特定色で表示されてもよい。
【０２１０】＜ステップＳ３５＞  次に、ステップＳ３５において、前記制御部２１は、前記合成表示状態で前記鑑査詳細画面Ｄ３０３を表示させるための表示要求操作が行われたか否かを判断する。具体的に、前記鑑査詳細画面Ｄ３０３には、前記合成表示状態で前記鑑査詳細画面Ｄ３０３を表示させるための操作に用いられる操作キーＫ４２が表示されている。そして、前記制御部２１は、前記ステップＳ３５において、前記操作キーＫ４２が操作された場合に、前記合成表示状態で前記鑑査詳細画面Ｄ３０３を表示させるための表示要求操作が行われたと判断する。ここで、前記合成表示状態で前記鑑査詳細画面Ｄ３０３を表示させるための表示要求操作が行われたと判断されると（Ｓ３５：Ｙｅｓ）、処理がステップＳ３６に移行し、前記合成表示状態で前記鑑査詳細画面Ｄ３０３を表示させるための表示要求操作が行われていないと判断されると（Ｓ３５：Ｎｏ）、処理がステップＳ３７に移行する。
【０２１１】＜ステップＳ３６＞  ステップＳ３６において、前記制御部２１は、前記合成表示状態で前記鑑査詳細画面Ｄ３０３を表示させる。なお、既に前記合成表示状態で前記鑑査詳細画面Ｄ３０３が表示されている場合にはその状態が維持される。
【０２１２】＜ステップＳ３７＞  次に、ステップＳ３７において、前記制御部２１は、前記第２表示状態で前記鑑査詳細画面Ｄ３０３を表示させるための表示要求操作が行われたか否かを判断する。具体的に、前記鑑査詳細画面Ｄ３０３には、前記第２表示状態で前記鑑査詳細画面Ｄ３０３を表示させるための操作に用いられる操作キーＫ４３、Ｋ４４が表示されている。そして、前記制御部２１は、前記ステップＳ３７において、前記操作キーＫ４３又はＫ４４が操作された場合に、前記第２表示状態で前記鑑査詳細画面Ｄ３０３を表示させるための表示要求操作が行われたと判断する。ここで、前記第２表示状態で前記鑑査詳細画面Ｄ３０３を表示させるための表示要求操作が行われたと判断されると（Ｓ３７：Ｙｅｓ）、処理がステップＳ３８に移行し、前記第２表示状態で前記鑑査詳細画面Ｄ３０３を表示させるための表示要求操作が行われていないと判断されると（Ｓ３７：Ｎｏ）、処理が前記ステップＳ３９に移行する。
【０２１３】＜ステップＳ３８＞  ステップＳ３８において、前記制御部２１は、前記第２分包処理で撮影された前記第２撮影画像のみが表示される前記第２表示状態で前記鑑査詳細画面Ｄ３０３を表示させる。具体的には、図２２に示されるように、前記２表示状態の前記鑑査詳細画面Ｄ３０３では、前記処方データに含まれる前記服用タイミングのうち前記第２撮影画像が表示されており、前記結果表示領域Ａ３１３には、前記第１分包処理及び前記第２分包処理によって１包目〜６包目までが正常に行われた旨を示す「承認待ち」の文字が表示されている。
【０２１４】  また、現在の鑑査対象の前記処方データについて前記第２分包処理が複数回実行されている場合には、前記第２分包処理各々に対応する前記第２撮影画像が前記記憶部２２に記憶されている。そこで、前記制御部２１は、前記操作キーＫ４３、Ｋ４４の操作に応じて、前記第２分包処理各々に対応する前記第２表示状態を個別に切り替えて表示させる。例えば、前記第２分包処理が２回実行されていた場合には、前記操作キーＫ４３の操作が操作されると、１回目の前記第２分包処理に対応する前記第２表示状態で前記鑑査詳細画面Ｄ３０３が表示され、前記操作キーＫ４４が操作されると、２回目の前記第２分包処理に対応する前記第２表示状態で前記鑑査詳細画面Ｄ３０３が表示される。
【０２１５】  以上説明したように、前記鑑査支援システム１では、前記第１撮影画像と前記第２撮影画像とが合成して表示可能であるため、薬剤師はその表示を参照することにより、前記第１分包処理及び前記第２分包処理を考慮した最終的な分包結果を容易に確認することが可能である。
【符号の説明】
【０２１６】１  ：鑑査支援システム２  ：サーバー２１：制御部２２：記憶部２３：通信Ｉ／Ｆ２４：表示部２５：操作部２６：ドライブ装置２７：コード読取部３  ：クライアント端末３１：制御部３２：記憶部３３：通信Ｉ／Ｆ３４：表示部３５：操作部３６：ドライブ装置４  ：錠剤分包装置（調剤機器の一例）４０：制御部４１：錠剤カセット４２：手撒きユニット４３：個別払出部４４：回転ユニット４５：分包ユニット４６：撮影部４７：通過検出部５  ：調剤機器６  ：上位システム
【図１】
2017119276.tif 000003
【図２】
2017119276.tif 000004
【図３】
2017119276.tif 000005
【図４】
2017119276.tif 000006
【図５Ａ】
2017119276.tif 000007
【図５Ｂ】
2017119276.tif 000008
【図６】
2017119276.tif 000009
【図７】
2017119276.tif 000010
【図８】
2017119276.tif 000011
【図９】
2017119276.tif 000012
【図１０】
2017119276.tif 000013
【図１１】
2017119276.tif 000014
【図１２Ａ】
2017119276.tif 000015
【図１２Ｂ】
2017119276.tif 000016
【図１３】
2017119276.tif 000017
【図１４Ａ】
2017119276.tif 000018
【図１４Ｂ】
2017119276.tif 000019
【図１５】
2017119276.tif 000020
【図１６】
2017119276.tif 000021
【図１７】
2017119276.tif 000022
【図１８Ａ】
2017119276.tif 000023
【図１８Ｂ】
2017119276.tif 000024
【図１９】
2017119276.tif 000025
【図２０】
2017119276.tif 000026
【図２１】
2017119276.tif 000027
【図２２】
2017119276.tif 000028
【図２３Ａ】
2017119276.tif 000029
【図２３Ｂ】
2017119276.tif 000030
【図２４Ａ】
2017119276.tif 000031
【図２４Ｂ】
2017119276.tif 000032
【図２５Ａ】
2017119276.tif 000033
【図２５Ｂ】
2017119276.tif 000034
【図２６Ａ】
2017119276.tif 000035
【図２６Ｂ】
2017119276.tif 000036
【図２７Ａ】
2017119276.tif 000037
【図２７Ｂ】
2017119276.tif 000038
【図２８Ａ】
2017119276.tif 000039
【図２８Ｂ】
2017119276.tif 000040
【図２９Ａ】
2017119276.tif 000041
【図２９Ｂ】
2017119276.tif 000042
【図３０Ａ】
2017119276.tif 000043
【図３０Ｂ】
2017119276.tif 000044
【国際調査報告】
2017119276.tif 000045
2017119276.tif 000046
2017119276.tif 000047
2017119276.tif 000048
2017119276.tif 000049
2017119276.tif 000050
2017119276.tif 000051
2017119276.tif 000052
2017119276.tif 000053
2017119276.tif 000054